(57)【要約】      （修正有）【課題】トラフィックをセルラーネットワークからワイヤレスローカルエリアネットワーク（ＷＬＡＮ）にオフロードするための方法および装置を提供する。【解決手段】サービング基地局から、１つまたは複数のＷＬＡＮアクセスポイント（ＡＰ）を測定するようにとの要求を受信する。ＷＬＡＮ  ＡＰについての１つまたは複数のメトリックを判断し、メトリックをしきい値と比較する。第１のＷＬＡＮ  ＡＰについてのメトリックがしきい値を超える場合、第１のＷＬＡＮ  ＡＰについてのメトリックを報告する。【選択図】図１０
2018067943.tif 000002
【特許請求の範囲】
【請求項１】
ユーザ機器（ＵＥ）によるワイヤレス通信のための方法であって、
サービング基地局から、１つまたは複数のワイヤレスローカルエリアネットワーク（ＷＬＡＮ）アクセスポイント（ＡＰ）を測定するようにとの要求を受信することと、
前記要求に基づいて前記ＷＬＡＮ  ＡＰについての１つまたは複数のメトリックを判断することと、
前記ＷＬＡＮ  ＡＰについての前記メトリックをしきい値と比較することと、
前記ＷＬＡＮ  ＡＰのうちの少なくとも第１のＡＰを報告することと
を備える、方法。
【請求項２】
前記報告が、前記メトリックのうちの１つまたは複数と前記第１のＡＰの識別子とを備える、請求項１に記載の方法。
【請求項３】
測定するようにとの前記要求が、前記ＷＬＡＮ  ＡＰについての広告のタイミングの指示を備える、請求項１に記載の方法。
【請求項４】
前記報告することが、
前記ＵＥがすでに前記第１のＡＰに接続されていることを報告すること
をさらに備える、請求項１に記載の方法。
【請求項５】
前記第１のＡＰを報告したときに、
データ送信をセルラーネットワークから前記第１のＡＰにオフロードするための無線リソース制御（ＲＲＣ）コマンドを受信すること
をさらに備える、請求項１に記載の方法。
【請求項６】
前記ＲＲＣコマンドを受信したときに、前記第１のＡＰに関連付けることをさらに備える、請求項５に記載の方法。
【請求項７】
前記ＲＲＣコマンドが前記第１のＡＰの識別子を備える、請求項５に記載の方法。
【請求項８】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項５に記載の方法。
【請求項９】
オフロードするための前記ＩＰフローまたは前記ＡＰＮトラフィックが、シームレス接続性または非シームレス接続性のうちの１つまたは複数として指定される、請求項８に記載の方法。
【請求項１０】
前記シームレス接続性がインターネットプロトコルフローモビリティ（ＩＦＯＭ）または多重アクセスパケットデータネットワーク接続性（ＭＡＰＣＯＮ）を備える、請求項９に記載の方法。
【請求項１１】
データ送信を前記第１のＡＰにオフロードすることであって、どのデータ送信が前記セルラーネットワークから前記第１のＡＰにオフロードされるかを判断することが、コアネットワーク（ＣＮ）からのポリシーに基づく、オフロードすることをさらに備える、請求項５に記載の方法。
【請求項１２】
前記第１のＡＰを報告したときに、
前記第１のＡＰに関する追加情報を報告するようにとの構成要求を受信すること
をさらに備える、請求項１に記載の方法。
【請求項１３】
前記第１のＡＰに関する前記追加情報を報告することが、前記第１のＡＰとのアクセスネットワーククエリプロトコル（ＡＮＱＰ）を実行することを備える、請求項１２に記載の方法。
【請求項１４】
前記第１のＡＰについての前記メトリックがしきい値を下回る場合、前記ＷＬＡＮ  ＡＰのうちの前記第１のＡＰを報告すること
をさらに備える、請求項１に記載の方法。
【請求項１５】
前記第１のＡＰについて報告したときに、
前記第１のＡＰとの関連付けを解除するための無線リソース制御（ＲＲＣ）コマンドを受信することをさらに備える、請求項１４に記載の方法。
【請求項１６】
前記第１のＡＰとの関連付けを解除することが、データ送信を前記第１のＡＰからセルラーネットワークにオフロードすることを備える、請求項１５に記載の方法。
【請求項１７】
前記１つまたは複数のＷＬＡＮ  ＡＰについての前記１つまたは複数のメトリックを判断することが、前記ＷＬＡＮ  ＡＰからビーコンまたはプローブ応答中で情報要素（ＩＥ）を受信することを備える、請求項１に記載の方法。
【請求項１８】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項２に記載の方法。
【請求項１９】
前記１つまたは複数のＷＬＡＮ  ＡＰが特定のＷＬＡＮチャネルまたはＷＬＡＮ帯域に対応する、請求項１に記載の方法。
【請求項２０】
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項１に記載の方法。
【請求項２１】
前記第１のＡＰについての前記メトリックが前記しきい値を超える、請求項１に記載の方法。
【請求項２２】
前記サービング基地局がＷＬＡＮおよび無線アクセスネットワーク（ＲＡＮ）インターワーキングをサポートするかどうかを判断することと、
前記判断に基づいて、送信をＷＬＡＮ  ＡＰと関連付けるかまたは交換する前に前記サービング基地局にアクセスするかどうかを判断することと
をさらに備える、請求項１に記載の方法。
【請求項２３】
基地局によるワイヤレス通信のための方法であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を備える、方法。
【請求項２４】
前記報告が、前記メトリックのうちの１つまたは複数と前記第１のＡＰの識別子とを備える、請求項２３に記載の方法。
【請求項２５】
測定するようにとの前記要求が、前記ＷＬＡＮ  ＡＰについての広告のタイミングの指示を備える、請求項２３に記載の方法。
【請求項２６】
前記報告は、前記ＵＥがすでに前記第１のＡＰに接続されているとの指示を備える、請求項２３に記載の方法。
【請求項２７】
前記第１のＡＰについての前記報告を受信したときに、
データ送信をセルラーネットワークから前記第１のＡＰにオフロードするための無線リソース制御（ＲＲＣ）コマンドを送信すること
をさらに備える、請求項２３に記載の方法。
【請求項２８】
前記ＲＲＣコマンドが前記第１のＡＰの識別子を備える、請求項２７に記載の方法。
【請求項２９】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項２７に記載の方法。
【請求項３０】
オフロードするための前記ＩＰフローまたは前記ＡＰＮトラフィックが、シームレス接続性または非シームレス接続性のうちの１つまたは複数として指定される、請求項２９に記載の方法。
【請求項３１】
前記シームレス接続性がインターネットプロトコルフローモビリティ（ＩＦＯＭ）または多重アクセスパケットデータネットワーク接続性（ＭＡＰＣＯＮ）を備える、請求項３０に記載の方法。
【請求項３２】
前記セルラーネットワークから前記第１のＡＰにオフロードされる前記送信が、コアネットワーク（ＣＮ）からの静的ポリシーに基づく、請求項２７に記載の方法。
【請求項３３】
前記第１のＡＰについての前記報告を受信したときに、
データ送信をサービングＷＬＡＮ  ＡＰから前記第１のＡＰにオフロードするための無線リソース制御（ＲＲＣ）コマンドを送信すること
をさらに備える、請求項２３に記載の方法。
【請求項３４】
前記第１のＡＰについての前記報告を受信したときに、
前記第１のＡＰに関する追加情報が必要とされるかどうかを判断することと、
前記追加情報が必要とされると判断したときに、前記ＵＥに、前記第１のＡＰに関する追加情報を報告するようにとの構成要求を送信することと
をさらに備える、請求項２３に記載の方法。
【請求項３５】
前記第１のＡＰが前記基地局とコロケートされている場合、前記第１のＡＰに関する前記追加情報が必要とされない、請求項３４に記載の方法。
【請求項３６】
前記追加情報が、前記第１のＡＰと前記基地局との間のバックホールリンクを介して取得される、請求項３４に記載の方法。
【請求項３７】
前記第１のＡＰに関する前記追加情報がサーバから取得される、請求項３４に記載の方法。
【請求項３８】
前記第１のＡＰについての測定値がしきい値を下回る場合、前記ＷＬＡＮ  ＡＰのうちの前記第１のＡＰの報告を受信すること
をさらに備える、請求項２３に記載の方法。
【請求項３９】
前記第１のＡＰについての前記報告を受信したときに、
前記第１のＡＰとの関連付けを解除するための無線リソース制御（ＲＲＣ）コマンドを送信すること
をさらに備える、請求項３８に記載の方法。
【請求項４０】
前記第１のＡＰとの関連付けを解除することが、データ送信を前記第１のＡＰからセルラーネットワークにオフロードすることを備える、請求項３９に記載の方法。
【請求項４１】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項２４に記載の方法。
【請求項４２】
前記１つまたは複数のＷＬＡＮ  ＡＰが特定のＷＬＡＮチャネルまたはＷＬＡＮ帯域に対応する、請求項２３に記載の方法。
【請求項４３】
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項２３に記載の方法。
【請求項４４】
前記第１のＡＰについての測定値がしきい値を超える、請求項２３に記載の方法。
【請求項４５】
ユーザ機器（ＵＥ）によるワイヤレス通信のための装置であって、
サービング基地局から、１つまたは複数のワイヤレスローカルエリアネットワーク（ＷＬＡＮ）アクセスポイント（ＡＰ）を測定するようにとの要求を受信するための手段と、
前記要求に基づいて前記ＷＬＡＮ  ＡＰについての１つまたは複数のメトリックを判断するための手段と、
前記ＷＬＡＮ  ＡＰについての前記メトリックをしきい値と比較するための手段と、
前記ＷＬＡＮ  ＡＰのうちの少なくとも第１のＡＰを報告するための手段と
を備える、装置。
【請求項４６】
前記報告が、前記メトリックのうちの１つまたは複数と前記第１のＡＰの識別子とを備える、請求項４５に記載の装置。
【請求項４７】
測定するようにとの前記要求が、前記ＷＬＡＮ  ＡＰについての広告のタイミングの指示を備える、請求項４５に記載の装置。
【請求項４８】
報告するための前記手段が、
前記ＵＥがすでに前記第１のＡＰに接続されていることを報告するための手段
をさらに備える、請求項４５に記載の装置。
【請求項４９】
前記第１のＡＰを報告したときに、データ送信をセルラーネットワークから前記第１のＡＰにオフロードするための無線リソース制御（ＲＲＣ）コマンドを受信するための手段
をさらに備える、請求項４５に記載の装置。
【請求項５０】
前記ＲＲＣコマンドを受信したときに、前記第１のＡＰに関連付けるための手段をさらに備える、請求項４９に記載の装置。
【請求項５１】
前記ＲＲＣコマンドが前記第１のＡＰの識別子を備える、請求項４９に記載の装置。
【請求項５２】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項４９に記載の装置。
【請求項５３】
オフロードするための前記ＩＰフローまたは前記ＡＰＮトラフィックが、シームレス接続性または非シームレス接続性のうちの１つまたは複数として指定される、請求項５２に記載の装置。
【請求項５４】
前記シームレス接続性がインターネットプロトコルフローモビリティ（ＩＦＯＭ）または多重アクセスパケットデータネットワーク接続性（ＭＡＰＣＯＮ）を備える、請求項５３に記載の装置。
【請求項５５】
データ送信を前記第１のＡＰにオフロードするための手段であって、どのデータ送信が前記セルラーネットワークから前記第１のＡＰにオフロードされるかを判断することが、コアネットワーク（ＣＮ）からのポリシーに基づく、オフロードするための手段をさらに備える、請求項４９に記載の装置。
【請求項５６】
前記第１のＡＰを報告したときに、前記第１のＡＰに関する追加情報を報告するようにとの構成要求を受信するための手段
をさらに備える、請求項４５に記載の装置。
【請求項５７】
前記第１のＡＰに関する前記追加情報を報告するための前記手段が、前記第１のＡＰとのアクセスネットワーククエリプロトコル（ＡＮＱＰ）を実行するための手段を備える、請求項５６に記載の装置。
【請求項５８】
前記第１のＡＰについての前記メトリックがしきい値を下回る場合、前記ＷＬＡＮ  ＡＰのうちの前記第１のＡＰを報告するための手段
をさらに備える、請求項４５に記載の装置。
【請求項５９】
前記第１のＡＰについて報告したときに、前記第１のＡＰとの関連付けを解除するための無線リソース制御（ＲＲＣ）コマンドを受信するための手段
をさらに備える、請求項５８に記載の装置。
【請求項６０】
前記第１のＡＰとの関連付けを解除することが、データ送信を前記第１のＡＰからセルラーネットワークにオフロードすることを備える、請求項５９に記載の装置。
【請求項６１】
前記１つまたは複数のＷＬＡＮ  ＡＰについての前記１つまたは複数のメトリックを判断するための手段が、前記ＷＬＡＮ  ＡＰからビーコンまたはプローブ応答中で情報要素（ＩＥ）を受信するための手段を備える、請求項４５に記載の装置。
【請求項６２】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項４６に記載の装置。
【請求項６３】
前記１つまたは複数のＷＬＡＮ  ＡＰが特定のＷＬＡＮチャネルまたはＷＬＡＮ帯域に対応する、請求項４５に記載の装置。
【請求項６４】
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項４５に記載の装置。
【請求項６５】
前記第１のＡＰについての前記メトリックが前記しきい値を超える、請求項４５に記載の装置。
【請求項６６】
前記サービング基地局がＷＬＡＮおよび無線アクセスネットワーク（ＲＡＮ）インターワーキングをサポートするかどうかを判断するための手段と、
前記サービング基地局がＷＬＡＮおよび無線アクセスネットワーク（ＲＡＮ）インターワーキングをサポートするかどうかを判断した結果に基づいて、送信をＷＬＡＮ  ＡＰと関連付けるかまたは交換する前に前記サービング基地局にアクセスするかどうかを判断するための手段と
をさらに備える、請求項４５に記載の装置。
【請求項６７】
基地局によるワイヤレス通信のための装置であって、
ユーザ機器（ＵＥ）に、１つまたは複数のワイヤレスローカルエリアネットワーク（ＷＬＡＮ）アクセスポイント（ＡＰ）を測定するようにとの要求を送信するための手段と、
前記ＷＬＡＮ  ＡＰのうちの少なくとも第１のＡＰについての報告を受信するための手段と
を備える、装置。
【請求項６８】
前記報告が、前記メトリックのうちの１つまたは複数と前記第１のＡＰの識別子とを備える、請求項６７に記載の装置。
【請求項６９】
測定するようにとの前記要求が、前記ＷＬＡＮ  ＡＰについての広告のタイミングの指示を備える、請求項６７に記載の装置。
【請求項７０】
前記報告は、前記ＵＥがすでに前記第１のＡＰに接続されているとの指示を備える、請求項６７に記載の装置。
【請求項７１】
前記第１のＡＰについての前記報告を受信したときに、データ送信をセルラーネットワークから前記第１のＡＰにオフロードするための無線リソース制御（ＲＲＣ）コマンドを送信するための手段
をさらに備える、請求項６７に記載の装置。
【請求項７２】
前記ＲＲＣコマンドが前記第１のＡＰの識別子を備える、請求項７１に記載の装置。
【請求項７３】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項７１に記載の装置。
【請求項７４】
オフロードするための前記ＩＰフローまたは前記ＡＰＮトラフィックが、シームレス接続性または非シームレス接続性のうちの１つまたは複数として指定される、請求項７３に記載の装置。
【請求項７５】
前記シームレス接続性がインターネットプロトコルフローモビリティ（ＩＦＯＭ）または多重アクセスパケットデータネットワーク接続性（ＭＡＰＣＯＮ）を備える、請求項７４に記載の装置。
【請求項７６】
前記セルラーネットワークから前記第１のＡＰにオフロードされる前記送信が、コアネットワーク（ＣＮ）からの静的ポリシーに基づく、請求項７１に記載の装置。
【請求項７７】
前記第１のＡＰについての前記報告を受信したときに、データ送信をサービングＷＬＡＮ  ＡＰから前記第１のＡＰにオフロードするための無線リソース制御（ＲＲＣ）コマンドを送信するための手段
をさらに備える、請求項６７に記載の装置。
【請求項７８】
前記第１のＡＰについての前記報告を受信したときに、前記第１のＡＰに関する追加情報が必要とされるかどうかを判断するための手段と、
前記第１のＡＰに関する追加情報が必要とされると判断したときに、前記ＵＥに、前記追加情報を報告するようにとの構成要求を送信するための手段と
をさらに備える、請求項６７に記載の装置。
【請求項７９】
前記第１のＡＰが前記基地局とコロケートされている場合、前記第１のＡＰに関する前記追加情報が必要とされない、請求項７８に記載の装置。
【請求項８０】
前記追加情報が、前記第１のＡＰと前記基地局との間のバックホールリンクを介して取得される、請求項７８に記載の装置。
【請求項８１】
前記第１のＡＰに関する前記追加情報がサーバから取得される、請求項７８に記載の装置。
【請求項８２】
前記第１のＡＰについての測定値がしきい値を下回る場合、前記ＷＬＡＮ  ＡＰのうちの前記第１のＡＰの報告を受信するための手段
をさらに備える、請求項６７に記載の装置。
【請求項８３】
前記第１のＡＰについての前記報告を受信したときに、前記第１のＡＰとの関連付けを解除するための無線リソース制御（ＲＲＣ）コマンドを送信するための手段
をさらに備える、請求項８２に記載の装置。
【請求項８４】
前記第１のＡＰとの関連付けを解除することが、データ送信を前記第１のＡＰからセルラーネットワークにオフロードすることを備える、請求項８３に記載の装置。
【請求項８５】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項６８に記載の装置。
【請求項８６】
前記１つまたは複数のＷＬＡＮ  ＡＰが特定のＷＬＡＮチャネルまたはＷＬＡＮ帯域に対応する、請求項６７に記載の装置。
【請求項８７】
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項６７に記載の装置。
【請求項８８】
前記第１のＡＰについての測定値がしきい値を超える、請求項６７に記載の装置。
【請求項８９】
ワイヤレス通信のための装置であって、
サービング基地局から、１つまたは複数のワイヤレスローカルエリアネットワーク（ＷＬＡＮ）アクセスポイント（ＡＰ）を測定するようにとの要求を受信することと、前記要求に基づいて、前記ＷＬＡＮ  ＡＰについての１つまたは複数のメトリックを判断することと、前記ＷＬＡＮ  ＡＰについての前記メトリックをしきい値と比較することと、前記ＷＬＡＮ  ＡＰのうちの少なくとも第１のＡＰを報告することと
を行うように構成された少なくとも１つのプロセッサと、
前記少なくとも１つのプロセッサに結合されたメモリと
を備える、装置。
【請求項９０】
ワイヤレス通信のための装置であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を行うように構成された少なくとも１つのプロセッサと、
前記少なくとも１つのプロセッサに結合されたメモリと
を備える、装置。
【請求項９１】
ユーザ機器（ＵＥ）によるワイヤレス通信のためのコンピュータプログラム製品であって、
サービング基地局から、１つまたは複数のワイヤレスローカルエリアネットワーク（ＷＬＡＮ）アクセスポイント（ＡＰ）を測定するようにとの要求を受信することと、
前記要求に基づいて前記ＷＬＡＮ  ＡＰについての１つまたは複数のメトリックを判断することと、
前記ＷＬＡＮ  ＡＰについての前記メトリックをしきい値と比較することと、
前記ＷＬＡＮ  ＡＰのうちの少なくとも第１のＡＰを報告することとを行うための命令を記憶したコンピュータ可読媒体を備える、コンピュータプログラム製品。
【請求項９２】
基地局によるワイヤレス通信のためのコンピュータプログラム製品であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することとを行うための命令を記憶したコンピュータ可読媒体を備える、コンピュータプログラム製品。
【発明の詳細な説明】
【技術分野】
【０００１】
米国特許法第１１９条に基づく優先権の主張
[0001]本特許出願は、両方とも本出願の譲受人に譲渡され、その内容全体が参照により本明細書に明確に組み込まれる、２０１２年３月１６日に出願された米国仮特許出願第６１／６１２，１２７号と２０１２年８月１３日に出願された米国仮特許出願第６１／６８２，６２９号との利益を主張する。
【０００２】
[0002]本開示のいくつかの態様は、一般にワイヤレス通信に関し、より詳細には、トラフィックをセルラーネットワークからワイヤレスローカルエリアネットワーク（ＷＬＡＮ）にオフロードするための技法に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）システム、ロングタームエボリューションアドバンスト（ＬＴＥ−Ａ：Long Term Evolution Advanced）システムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
[0005]ワイヤレス通信技術が進歩するにつれて、ますます多くの異なる無線アクセス技術が利用されている。たとえば、現在、多くの地理的エリアが複数のワイヤレス通信システムによってサービスされており、ワイヤレス通信システムの各々は、１つまたは複数の異なるエアインターフェース技術を利用することがある。そのようなネットワーク環境におけるワイヤレス端末の汎用性を高めるために、最近、複数の無線技術の下で動作することができるマルチモードワイヤレス端末に対する志向が高まっている。たとえば、マルチモード実装により、端末は、ある地理的エリアにおいて、各々が異なる無線インターフェース技術を利用し得る複数のシステムの中からあるシステムを選択し、その後、１つまたは複数の選択されたシステムと通信することが可能になり得る。
【発明の概要】
【０００６】
[0006]本開示の一態様では、ユーザ機器（ＵＥ）によるワイヤレス通信のための方法が提供される。本方法は、概して、サービング基地局から、１つまたは複数のワイヤレスローカルエリアネットワーク（ＷＬＡＮ）アクセスポイント（ＡＰ）を測定するようにとの要求を受信することと、要求に基づいてＷＬＡＮ  ＡＰについての１つまたは複数のメトリックを判断することと、ＷＬＡＮ  ＡＰについてのメトリックをしきい値と比較することと、第１のＡＰについてのメトリックがしきい値を超える場合、ＷＬＡＮ  ＡＰのうちの少なくとも第１のＡＰを報告することとを含む。
【０００７】
[0007]本開示の一態様では、基地局によるワイヤレス通信のための方法が提供される。本方法は、概して、ユーザ機器（ＵＥ）に、１つまたは複数のワイヤレスローカルエリアネットワーク（ＷＬＡＮ）アクセスポイント（ＡＰ）を測定するようにとの要求を送信することと、第１のＡＰについての測定値がしきい値を超える場合、ＷＬＡＮ  ＡＰのうちの少なくとも第１のＡＰについての報告を受信することとを含む。
【０００８】
[0008]本開示の一態様では、ユーザ機器（ＵＥ）によるワイヤレス通信のための方法が提供される。本方法は、概して、サービング基地局がワイヤレスローカルエリアネットワーク（ＷＬＡＮ）および無線アクセスネットワーク（ＲＡＮ）インターワーキングをサポートするかどうかを判断することと、その判断に基づいて、送信をＷＬＡＮアクセスポイント（ＡＰ）と関連付けるかまたは交換する前にサービング基地局にアクセスするかどうかを判断することとを含む。
【０００９】
[0009]本開示の一態様では、ワイヤレスローカルエリアネットワーク（ＷＬＡＮ）アクセスポイント（ＡＰ）によるワイヤレス通信のための方法が提供される。本方法は、概して、広告のタイミングの指示を受信することと、その指示に従ってＷＬＡＮ  ＡＰに関連するビーコンを同期させることとを含む。
【００１０】
[0010]本開示の一態様では、ユーザ機器（ＵＥ）によるワイヤレス通信のための装置が提供される。本装置、概して、サービング基地局から、１つまたは複数のワイヤレスローカルエリアネットワーク（ＷＬＡＮ）アクセスポイント（ＡＰ）を測定するようにとの要求を受信するための手段と、要求に基づいてＷＬＡＮ  ＡＰについての１つまたは複数のメトリックを判断するための手段と、ＷＬＡＮ  ＡＰについてのメトリックをしきい値と比較するための手段と、第１のＡＰについてのメトリックがしきい値を超える場合、ＷＬＡＮ  ＡＰのうちの少なくとも第１のＡＰを報告するための手段とを含む。
【００１１】
[0011]本開示の一態様では、基地局によるワイヤレス通信のための装置が提供される。本装置は、概して、ユーザ機器（ＵＥ）に、１つまたは複数のワイヤレスローカルエリアネットワーク（ＷＬＡＮ）アクセスポイント（ＡＰ）を測定するようにとの要求を送信するための手段と、第１のＡＰについての測定値がしきい値を超える場合、ＷＬＡＮ  ＡＰのうちの少なくとも第１のＡＰについての報告を受信するための手段とを含む。
【００１２】
[0012]本開示の一態様では、ユーザ機器（ＵＥ）によるワイヤレス通信のための装置が提供される。本装置は、概して、サービング基地局がワイヤレスローカルエリアネットワーク（ＷＬＡＮ）および無線アクセスネットワーク（ＲＡＮ）インターワーキングをサポートするかどうかを判断するための手段と、サービング基地局がワイヤレスローカルエリアネットワーク（ＷＬＡＮ）および無線アクセスネットワーク（ＲＡＮ）インターワーキングをサポートするかどうかを判断した結果に基づいて、送信をＷＬＡＮアクセスポイント（ＡＰ）と関連付けるかまたは交換する前にサービング基地局にアクセスするかどうかを判断するための手段とを含む。
【００１３】
[0013]本開示の一態様では、ワイヤレスローカルエリアネットワーク（ＷＬＡＮ）アクセスポイント（ＡＰ）によるワイヤレス通信のための装置が提供される。本装置は、概して、広告のタイミングの指示を受信するための手段と、その指示に従ってＷＬＡＮ  ＡＰに関連するビーコンを同期させるための手段とを含む。
【００１４】
[0014]本開示の一態様では、ユーザ機器（ＵＥ）によるワイヤレス通信のための装置が提供される。本装置は、概して、サービング基地局から、１つまたは複数のワイヤレスローカルエリアネットワーク（ＷＬＡＮ）アクセスポイント（ＡＰ）を測定するようにとの要求を受信することと、要求に基づいて、ＷＬＡＮ  ＡＰについての１つまたは複数のメトリックを判断することと、ＷＬＡＮ  ＡＰについてのメトリックをしきい値と比較することと、第１のＡＰについてのメトリックがしきい値を超える場合、ＷＬＡＮ  ＡＰのうちの少なくとも第１のＡＰを報告することとを行うように構成された少なくとも１つのプロセッサと、少なくとも１つのプロセッサに結合されたメモリとを含む。
【００１５】
[0015]本開示の一態様では、基地局によるワイヤレス通信のための装置が提供される。本装置は、概して、ユーザ機器（ＵＥ）に、１つまたは複数のワイヤレスローカルエリアネットワーク（ＷＬＡＮ）アクセスポイント（ＡＰ）を測定するようにとの要求を送信することと、第１のＡＰについての測定値がしきい値を超える場合、ＷＬＡＮ  ＡＰのうちの少なくとも第１のＡＰについての報告を受信することとを行うように構成された少なくとも１つのプロセッサと、少なくとも１つのプロセッサに結合されたメモリとを含む。
【００１６】
[0016]本開示の一態様では、ユーザ機器（ＵＥ）によるワイヤレス通信のための装置が提供される。本装置は、概して、サービング基地局がワイヤレスローカルエリアネットワーク（ＷＬＡＮ）および無線アクセスネットワーク（ＲＡＮ）インターワーキングをサポートするかどうかを判断することと、サービング基地局がワイヤレスローカルエリアネットワーク（ＷＬＡＮ）および無線アクセスネットワーク（ＲＡＮ）インターワーキングをサポートするかどうかを判断した結果に基づいて、送信をＷＬＡＮアクセスポイント（ＡＰ）と関連付けるかまたは交換する前にサービング基地局にアクセスするかどうかを判断することとを行うように構成された少なくとも１つのプロセッサと、少なくとも１つのプロセッサに結合されたメモリとを含む。
【００１７】
[0017]本開示の一態様では、ワイヤレスローカルエリアネットワーク（ＷＬＡＮ）アクセスポイント（ＡＰ）によるワイヤレス通信のための装置が提供される。本装置は、概して、広告のタイミングの指示を受信することと、その指示に従ってＷＬＡＮ  ＡＰに関連するビーコンを同期させることとを行うように構成された少なくとも１つのプロセッサと、少なくとも１つのプロセッサに結合されたメモリとを含む。
【００１８】
[0018]本開示の一態様では、命令を記憶したコンピュータ可読媒体を備える、ワイヤレス通信のためのコンピュータプログラム製品が提供される。命令は、概して、サービング基地局から、１つまたは複数のワイヤレスローカルエリアネットワーク（ＷＬＡＮ）アクセスポイント（ＡＰ）を測定するようにとの要求を受信することと、要求に基づいて、ＷＬＡＮ  ＡＰについての１つまたは複数のメトリックを判断することと、ＷＬＡＮ  ＡＰについてのメトリックをしきい値と比較することと、第１のＡＰについてのメトリックがしきい値を超える場合、ＷＬＡＮ  ＡＰのうちの少なくとも第１のＡＰを報告することとのために、１つまたは複数のプロセッサによって実行可能である。
【００１９】
[0019]本開示の一態様では、命令を記憶したコンピュータ可読媒体を備える、ワイヤレス通信のためのコンピュータプログラム製品が提供される。命令は、概して、ユーザ機器（ＵＥ）に、１つまたは複数のワイヤレスローカルエリアネットワーク（ＷＬＡＮ）アクセスポイント（ＡＰ）を測定するようにとの要求を送信することと、第１のＡＰについての測定値がしきい値を超える場合、ＷＬＡＮ  ＡＰのうちの少なくとも第１のＡＰについての報告を受信することとのために、１つまたは複数のプロセッサによって実行可能である。
【００２０】
[0020]本開示の一態様では、命令を記憶したコンピュータ可読媒体を備える、ワイヤレス通信のためのコンピュータプログラム製品が提供される。命令は、概して、サービング基地局がワイヤレスローカルエリアネットワーク（ＷＬＡＮ）および無線アクセスネットワーク（ＲＡＮ）インターワーキングをサポートするかどうかを判断することと、その判断に基づいて、送信をＷＬＡＮアクセスポイント（ＡＰ）と関連付けるかまたは交換する前にサービング基地局にアクセスするかどうかを判断することとのために、１つまたは複数のプロセッサによって実行可能である。
【００２１】
[0021]本開示の一態様では、命令を記憶したコンピュータ可読媒体を備える、ワイヤレス通信のためのコンピュータプログラム製品が提供される。命令は、概して、広告のタイミングの指示を受信することと、その指示に従ってＷＬＡＮ  ＡＰに関連するビーコンを同期させることとのために、１つまたは複数のプロセッサによって実行可能である。
【００２２】
[0022]本開示の様々な態様および特徴について以下でさらに詳細に説明する。
【００２３】
[0023]本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００２４】
【図１】[0024]本開示のいくつかの態様による、例示的な多元接続ワイヤレス通信システムを示す図。
【図２】[0025]本開示のいくつかの態様による、アクセスポイントおよびユーザ端末のブロック図。
【図３】[0026]本開示のいくつかの態様による、ワイヤレスデバイスにおいて利用され得る様々な構成要素を示す図。
【図４】[0027]本開示のいくつかの態様による、例示的なマルチモード移動局を示す図。
【図５】[0028]非シームレスモビリティを用いたワイヤレスローカルエリアネットワーク（ＷＬＡＮ）と３ＧＰＰアクセスインターワーキングとのための例示的なアーキテクチャを示す図。
【図６】[0029]本開示のいくつかの態様による、ＷＬＡＮブースタＡＰのための例示的なＲＦ測定プロシージャを示す図。
【図７】[0030]本開示のいくつかの態様による、例示的なＷＬＡＮモビリティプロシージャコールフローを示す図。
【図８】[0031]本開示のいくつかの態様による、ＷＬＡＮブースタＡＰのための例示的な自動ＷＬＡＮネイバーリレーションプロシージャを示す図。
【図９】[0032]本開示のいくつかの態様による、データ送信をセルラーネットワークからＷＬＡＮ  ＡＰにオフロードするための例示的な動作を示す図。
【図１０】[0033]本開示のいくつかの態様による、ＷＬＡＮ  ＡＰのメトリックをセルラーネットワークに報告するための例示的な動作を示す図。
【発明を実施するための形態】
【００２５】
[0034]添付の図面を参照しながら本開示の様々な態様について以下でより十分に説明する。ただし、本開示は、多くの異なる形態で実施され得、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示のいずれの態様も、請求項の１つまたは複数の要素によって実施され得ることを理解されたい。
【００２６】
[0035]「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２７】
[0036]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、そのうちのいくつかを例として図および好適な態様についての以下の説明で示す。発明を実施するための形態および図面は、本開示を限定するものではなく説明するものにすぎず、本開示の範囲は添付の特許請求の範囲およびそれの均等物によって定義される。例示的なワイヤレス通信システム
[0037]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューションは、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体からの文書に記載されている。ＣＤＭＡ２０００は、「第３世代パートナーシッププロジェクト２」（３ＧＰＰ２：3rd Generation Partnership Project 2）という名称の団体からの文書に記載されている。
【００２８】
[0038]シングルキャリア周波数分割多元接続（ＳＣ−ＦＤＭＡ）は、送信機側でシングルキャリア変調を利用し、受信機側で周波数領域等化を利用する１つの送信技法である。ＳＣ−ＦＤＭＡは、ＯＦＤＭＡシステムと同様の性能および本質的に同じ全体的な複雑さを有する。ただし、ＳＣ−ＦＤＭＡ信号は、その特有のシングルキャリア構造のためにより低いピーク対平均電力比（ＰＡＰＲ：peak-to-average power ratio）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ＬＴＥおよびＥｖｏｌｖｅｄ  ＵＴＲＡにおけるアップリンク多元接続方式に関する実用的な前提である。
【００２９】
[0039]アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００３０】
[0040]アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００３１】
[0041]図１を参照すると、ワイヤレスネットワークの取得を開始する時間を低減するための説明されるプロシージャが実行され得る、一態様による多元接続ワイヤレス通信システムが示されている。アクセスポイント１００（ＡＰ）は複数のアンテナグループを含み得、あるアンテナグループはアンテナ１０４と１０６とを含み、別のアンテナグループはアンテナ１０８と１１０とを含み、追加のアンテナグループはアンテナ１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００３２】
[0042]アンテナの各グループ、および／またはアンテナが通信するように設計されたエリアは、しばしば、アクセスポイントのセクタと呼ばれる。本開示の一態様では、アンテナグループはそれぞれ、アクセスポイント１００によってカバーされるエリアのセクタ内でアクセス端末に通信するように設計され得る。
【００３３】
[0043]順方向リンク１２０および１２６上の通信では、アクセスポイント１００の送信アンテナは、異なるアクセス端末１１６および１２２に対して順方向リンクの信号対雑音比を改善するためにビームフォーミングを利用し得る。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００３４】
[0044]図２に、多入力多出力（ＭＩＭＯ）システム２００における送信機システム２１０（アクセスポイントとしても知られる）および受信機システム２５０（アクセス端末としても知られる）の実施形態のブロック図を示す。送信機システム２１０において、いくつかのデータストリームのトラフィックデータがデータソース２１２から送信（ＴＸ）データプロセッサ２１４に与えられる。
【００３５】
[0045]本開示の一態様では、各データストリームは、それぞれの送信アンテナを介して送信され得る。ＴＸデータプロセッサ２１４は、各データストリームのトラフィックデータを、そのデータストリーム用に選択された特定のコーディング方式に基づいてフォーマットし、コーディングし、インターリーブして、コード化データを与える。
【００３６】
[0046]各データストリームのコード化データは、ＯＦＤＭ技法を使用してパイロットデータと多重化され得る。パイロットデータは、一般に、知られている方法で処理され、チャネル応答を推定するために受信機システムにおいて使用され得る知られているデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ２３０によって実行される命令によって判断され得る。メモリ２３２は、送信機システム２１０のためのデータとソフトウェアとを記憶し得る。
【００３７】
[0047]次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。次いで、ＴＸ  ＭＩＭＯプロセッサ２２０はＮT個の変調シンボルストリームをＮT個の送信機（ＴＭＴＲ）２２２ａ〜２２２ｔに与える。本開示のいくつかの態様では、ＴＸ  ＭＩＭＯプロセッサ２２０は、データストリームのシンボルと、シンボルの送信元のアンテナとにビームフォーミング重みを適用する。
【００３８】
[0048]各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機２２２ａ〜２２２ｔからのＮT個の変調信号が、ＮT個のアンテナ２２４ａ〜２２４ｔからそれぞれ送信される。
【００３９】
[0049]受信機システム２５０では、送信された変調信号はＮR個のアンテナ２５２ａ〜２５２ｒによって受信され得、各アンテナ２５２からの受信信号は、それぞれの受信機（ＲＣＶＲ）２５４ａ〜２５４ｒに与えられ得る。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【００４０】
[0050]次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。
【００４１】
[0051]プロセッサ２７０は、どのプリコーディング行列を使用すべきかを定期的に判断する。プロセッサ２７０は、行列インデックス部分とランク値部分とを備える逆方向リンクメッセージを作成する。メモリ２７２は、受信機システム２５０のためのデータとソフトウェアとを記憶し得る。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００４２】
[0052]送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。次いで、プロセッサ２３０は、ビームフォーミング重みを判断するためにどのプリコーディング行列を使用すべきかを判断し、抽出されたメッセージを処理する。
【００４３】
[0053]図３に、図１に示したワイヤレス通信システム内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は基地局１００、またはユーザ端末１１６および１２２であり得る。
【００４４】
[0054]ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明する方法を実装するように実行可能であり得る。
【００４５】
[0055]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００４６】
[0056]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００４７】
[0057]ワイヤレスデバイス３０２の様々な構成要素は、データバスに加えて、電力バスと、制御信号バスと、ステータス信号バスとを含み得る、バスシステム３２２によって互いに結合され得る。
【００４８】
[0058]加入者にとって利用可能なサービスを拡張するために、いくつかのＭＳは、複数の無線アクセス技術（ＲＡＴ）を用いた通信をサポートし得る。たとえば、図４に示すように、マルチモードＭＳ４１０は、ブロードバンドデータサービスのためのＬＴＥと音声サービスのための符号分割多元接続（ＣＤＭＡ）とをサポートし得る。例示的に、ＬＴＥは第１のＲＡＴ４２０1として示され、ＣＤＭＡは第２のＲＡＴ４２０2として示され、Ｗｉ−Ｆｉ（登録商標）は第３のＲＡＴ４２２1として示されている。
【００４９】
[0059]いくつかの適用例では、マルチＲＡＴインターフェース論理４３０が、長距離ＲＡＴと短距離ＲＡＴとの間で情報を交換するために使用され得る。これは、ネットワークプロバイダが、マルチモードＭＳ４１０のエンドユーザがどのように（どのＲＡＴを介して）実際にネットワークに接続するかを制御することを可能にし得る。インターフェース論理４３０は、たとえば、ローカルＩＰ接続性またはコアネットワークへのＩＰ接続性をサポートし得る。
【００５０】
[0060]たとえば、ネットワークプロバイダは、利用可能なとき、短距離ＲＡＴを介してネットワークに接続するようにマルチモードＭＳに指示することが可能であり得る。この能力は、ネットワークプロバイダが、特定のエアリソースの輻輳を緩和する方法でトラフィックをルーティングすることを可能にし得る。実際に、ネットワークプロバイダは、短距離ＲＡＴを使用して、（長距離ＲＡＴの）あるエアトラフィックをワイヤラインネットワークに分散させるか、またはあるエアトラフィックを、輻輳したワイヤレスネットワークからあまり輻輳していないワイヤレスネットワークに分散させ得る。モバイルユーザが速度を短距離ＲＡＴに好適でないあるレベルまで増加させたときなど、状況が要求するとき、トラフィックは短距離ＲＡＴから再ルーティングされ得る。
【００５１】
[0061]さらに、長距離ＲＡＴは、一般に、数キロメートルにわたってサービスを与えるように設計されるので、長距離ＲＡＴを使用するときのマルチモードＭＳからの送信の電力消費は重要である。対照的に、短距離ＲＡＴ（たとえば、Ｗｉ−Ｆｉ）は、数百メートルにわたってサービスを与えるように設計される。したがって、利用可能なときに短距離ＲＡＴを利用することにより、マルチモードＭＳ４１０による電力消費はより少なくなり、したがって、バッテリー寿命がより長くなり得る。
【００５２】
トラフィックをワイヤレスローカルエリアネットワークにオフロードするシステムおよび方法
[0062]図５に、非シームレスモビリティを用いたワイヤレスローカルエリアネットワーク（ＷＬＡＮ）と３ＧＰＰアクセスインターワーキングとのための例示的なアーキテクチャを示す。そのようなアーキテクチャでは、ユーザ機器（ＵＥ）５０２は、ｅＮＢ１  ５０４とＷＬＡＮ  ＡＰ５０６とにおいて異なるインターネットプロトコル（ＩＰ）アドレスを使用し得る。
【００５３】
[0063]ＵＥ５０２は別々のパケットデータネットワーク（ＰＤＮ）接続を使用し得る。ＷＬＡＮのためのデータプレーンと３ＧＰＰのためのデータプレーンとは本質的に無関係であり、セッション継続性（たとえば、ＷＬＡＮに対するモビリティサポート）がない。言い換えれば、ＵＥ５０２は、（たとえば、３ＧＰＰネットワークからの支援なしで）独立してＷＬＡＮ  ＡＰを見つけ得、これは非効率であり得る。
【００５４】
[0064]本開示のいくつかの態様は、しかしながら、トラフィックにアクセスしてＷＬＡＮにオフロードするＵＥを制御する、セルラーネットワークのための技法を提供し得る。このようにして、ＵＥは、一般にパッシブスキャニングとアクティブスキャニングとを含む８０２．１１において規定されているスキャニングプロシージャを実行することによって、ＷＬＡＮ  ＡＰに気づき得る。
【００５５】
[0065]ＵＥは、受信機をオンにしたままＷＬＡＮビーコンの受信を待たなければならないので、８０２．１１において定義されているパッシブススキャニングは、ＵＥにとって非効率的であり得る。ビーコン送信間隔は１００ミリ秒程度であるので、これにより、スキャンすべき数十のチャネルがある場合、スキャンエネルギーが高くなり、スキャンレイテンシが高くなり得る。アクティブスキャンはより速くなり得るが、ＷＬＡＮにトラフィック、すなわち、プローブ要求とプローブ応答とを追加する。アクティブスキャニングはまた、電力集約的である。
【００５６】
[0066]いくつかの規格（たとえば、８０２．１１ｕ）は、ＵＥがＡＰに関連付けられることなしに、ＡＰに関するさらなる情報を発見するための追加の機構を定義している。たとえば、一般広告サービス（ＧＡＳ：generic advertisement service）が、ネットワーク中のＵＥとサーバとの間での広告プロトコルのフレームのトランスポートを与え得る。このシナリオでは、ＡＰは、キャリアのネットワーク中のサーバへのモバイルデバイスのクエリのリレーと、サーバの応答をモバイルに配信することとを担当し得る。
【００５７】
[0067]別の機構の例としては、ホットスポット事業者のドメイン名と、認証のためにサポートされたそれらの証明タイプおよびＥＡＰ方法とともにホットスポットを介してアクセス可能なローミングパートナーと、ＩＰアドレスタイプ利用可能性と、ＵＥのネットワーク選択プロセスにおいて有用な他のメタデータとを含む、一般にＧＡＳを介してトランスポートされるＡＰからのＵＥ／ＳＴＡによるアクセスネットワーク情報検索のためのクエリ広告プロトコルである、アクセスネットワーククエリプロトコル（ＡＮＱＰ：access network query protocol）がある。
【００５８】
[0068]ＵＥは、測定値を与えるためにＷＬＡＮ  ＡＰに関連しなくてもよいことがある。ＵＥは、８０２．１１ｋ、８０２．１１ｕおよびＨｏｔｓｐｏｔ２．０において定義されている追加のプロシージャのサブセットをサポートし得る。
【００５９】
[0069]無線アクセスネットワーク（ＲＡＮ）に関して、図５に示すように、ＡＰとＢＳとの間のインターフェースがないことがある。これが事業者制御ＷＬＡＮ  ＡＰに対して動作することが予想されても、負荷情報またはネイバー情報がバックホールを介して交換されることは予想されない。しかしながら、コロケートＡＰおよびＢＳの場合、ＡＰに関する８０２．１１ｋ、８０２．１１ｕ、およびＨｏｔｓｐｏｔ２．０情報が（たとえば、バックホールリンクを介して）ＢＳにおいて知られ得、ＵＥは、情報を取得するためにＡＮＱＰを実行する必要がないことがある。
【００６０】
[0070]高効率パッシブスキャニングが可能にされたとき、ＡＰは、ＲＡＮによって広告された時間にＡＰのビーコンを送信し得る。言い換えれば、ＡＰは、セルラータイミングおよびＳＦＮを取得し、ＲＡＮによって広告されたビーコン送信時間を知る必要があり得る。いくつかの態様では、ＡＰを識別するために報告の２つのレベルが必要とされ得、（たとえば、ＢＳＳＩＤに基づいて）すなわち、ビーコンのみからＡＰを識別するか、または（たとえば、非コロケートＡＰおよびｅＮＢの場合）ＡＮＱＰを使用して、情報を識別する８０２．１１ｋ、８０２．１１ｕ、またはＨｏｔｓｐｏｔ２．０を与える。いくつかの態様では、図に示されてないこの情報を交換するためのバックホールインターフェースを有することが可能である。
【００６１】
[0071]図６に、本開示のいくつかの態様による、ＷＬＡＮブースタＡＰのためのＲＦ測定プロシージャを示す。（６０２において）接続が確立されたとき、または何らかのイベントに基づいて、（６０４において）基地局（ＢＳ）６１０（たとえば、アンカーｅＮＢ）が、測定値構成をＵＥ６２０に与える。
【００６２】
[0072]測定値構成は、ＲＡＮタイミングに対するＷＬＡＮビーコンの送信時間を通知することによって、ＵＥがパッシブスキャニングに依拠することを可能にし得る。測定値構成はイベント駆動であり得る。さらに、イベント駆動測定値構成は十分であり得るが、周期的測定値報告も可能であり得る。
【００６３】
[0073]測定値構成は、ＵＥの電力およびスペクトル高能率ＷＬＡＮパッシブスキャニングを可能にするために、（たとえば、特定のＷＬＡＮ  ＡＰまたはＷＬＡＮ  ＡＰのグループに対応する）ターゲット識別子によって報告するためのターゲットＷＬＡＮ  ＡＰと、（たとえば、特定のＷＬＡＮチャネルまたはＷＬＡＮ帯域に対応する）ターゲット周波数と、ＲＡＮタイミングに対するビーコンタイミングとを定義し得る。一例として、ビーコンが定期的に（たとえば、ＬＴＥのＳＦＮ  ｍｏｄ１０＝０のとき）送信され得る。動作クラス（たとえば、異なる動作クラスの精細度についての８０２．１１のアネックスＥを参照）および（動作クラスを含む）チャネル番号など、ＷＬＡＮ測定値のための様々なタイプのターゲット周波数が考慮され得る。
【００６４】
[0074]ＷＬＡＮ測定値のための様々なタイプのターゲット識別子が考慮され得る。例としては、限定はしないが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ：homogeneous extended SSID）、または第３世代パートナーシッププロジェクト（３ＧＰＰ）セルラーネットワーク情報がある。ＷＬＡＮ  ＡＰのグループのための追加のターゲット識別子も定義され得る。ＢＳＳＩＤは、（たとえば、コロケートＷＬＡＮおよびＢＳの場合）特定のＷＬＡＮ  ＡＰを探索するために使用され得る。
【００６５】
[0075]ＮＡＩＨＲは、ＵＥがそれに対するセキュリティ証明を有するネットワークアクセス識別子（ＮＡＩ）領域が、それのネットワークまたはサービスがＢＳＳを介してアクセス可能であるＳＰまたは他のエンティティに対応する領域であるかどうかを、ＵＥが判断することを可能にする。ＢＳＳＩＤは、概して、個々のＡＰを識別するために使用されるが、他の測定ターゲットは、概して、拡張サービスセット（ＥＳＳ）を識別するために使用される。ＳＳＩＤは、ＷＬＡＮサービスプロバイダ（ＳＰ）を表し得る特定のＳＳＩＤを探索するために使用され得る。ＨＥＳＳＩＤは、特定のホットスポットＳＰを探索するために使用され得る（ビーコンまたはプローブ応答の一部としてインターワーキングＩＥ（８０２．１１ｕ）中に含まれる）。ＨＥＳＳＩＤは、概して、ＳＳＩＤベースの探索よりも制御され得るが、ＷＬＡＮにおけるホットスポットサポートを仮定している。３ＧＰＰセルラーネットワーク情報は、特定のパブリックランドモバイルネットワーク（ＰＬＭＮ）を探索するために使用され得る（８０２．１１ｕ）。
【００６６】
[0076]測定値構成は、次のようにＷＬＡＮ測定イベントのセットを定義し得る。第１のイベント（イベントＣ１）では、ＷＬＡＮは絶対しきい値よりも良好になり得る（たとえば、ＷＬＡＮとの関連付けをトリガする）。第２のイベント（イベントＣ２）では、ＷＬＡＮは絶対しきい値よりも不良になる（たとえば、ＷＬＡＮとの関連付け解除をトリガする）。第３のイベント（イベントＣ３）では、ＷＬＡＮネイバーオフセットはサービングＷＬＡＮよりも良好になる（たとえば、ＷＬＡＮ  ＡＰ間でのハンドオーバをトリガする）。
【００６７】
[0077]イベントＣ１は、セルラーネットワーク（たとえば、ＬＴＥ）からＷＬＡＮへのオフロードをトリガするために使用され得る。たとえば、
【数１】
2018067943.tif 000003
【００６８】
または
【数２】
2018067943.tif 000004
【００６９】
の場合、ＵＥはＷＬＡＮに関連し得る（すなわち、ＵＥがまだＷＬＡＮに接続されていない場合）。しかしながら、
【数３】
2018067943.tif 000005
【００７０】
または
【数４】
2018067943.tif 000006
【００７１】
の場合、ＵＥはＷＬＡＮとの関連付けを解除し得る。関連付け解除は、レイヤ２における関連付け解除と、認証およびネットワークプロトコル状態のティアダウンとを含み得る。式中の変数は次のように定義される。−ＭｓはＷＬＡＮの測定結果であり、オフセットを考慮に入れず（Ｍｓは、ＲＣＰＩの場合、ｄＢｍで表されるか、またはＲＳＮＩの場合、ｄＢで表される）、−Ｈｙｓは、このイベントのためのヒステリシスパラメータであり（たとえば、このイベントのためのｒｅｐｏｒｔＣｏｎｆｉｇＥＵＴＲＡ内で定義されたヒステリシスもｄＢで表される）、−Ｔｈｒｅｓｈは、このイベントのためのしきい値パラメータであり（たとえば、このイベントのためのｒｅｐｏｒｔＣｏｎｆｉｇＥＵＴＲＡ内で定義され、Ｍｓと同じ単位で表されるｃ１−Ｔｈｒｅｓｈｏｌｄ）、−ｌｏａｄはチャネル負荷であり（ビーコンのＢＳＳ負荷要素中で示され、範囲０〜２５５、あるいは代替的に、負荷は、ＵＥにおいて計算されたチャネル負荷であり得る）、−ｌｏａｄＨｙｓは整数０〜２５５として表され、−ｌｏａｄＴｈｒｅｓｈはｌｏａｄＨｙｓと同じ単位で表される。いくつかの態様によれば、測定は、代替的に、単にＭｓまたはｌｏａｄのうちの１つを測定するように定義され得る（すなわち、両方の条件を考慮するとは限らない）。
【００７２】
[0078]イベントＣ２は、ＷＬＡＮからセルラーネットワークへのフォールバックをトリガするために使用され得る。たとえば、
【数５】
2018067943.tif 000007
【００７３】
または
【数６】
2018067943.tif 000008
【００７４】
の場合、ＵＥはＷＬＡＮとの関連付けを解除し得る。しかしながら、
【数７】
2018067943.tif 000009
【００７５】
または
【数８】
2018067943.tif 000010
【００７６】
の場合、ＵＥはＷＬＡＮに関連し得る（すなわち、ＵＥがまだＷＬＡＮに接続されていない場合）。式中の変数は次のように定義される。−Ｔｈｒｅｓｈこのイベントのためのしきい値パラメータである（たとえば、このイベントのためのｒｅｐｏｒｔＣｏｎｆｉｇＥＵＴＲＡ内で定義されたｃ２−Ｔｈｒｅｓｈｏｌｄ）。いくつかの態様によれば、測定は、代替的に、単にＭｓまたはｌｏａｄのうちの１つを測定するように定義され得る（すなわち、両方の条件を考慮するとは限らない）。
【００７７】
[0079]イベントＣ３は、イントラＷＬＡＮハンドオーバをトリガするために使用され得る。たとえば、
【数９】
2018067943.tif 000011
【００７８】
の場合、ＵＥは、サービングＷＬＡＮとの関連付けを解除し、近隣ＷＬＡＮに関連し得る。しかしながら、
【数１０】
2018067943.tif 000012
【００７９】
の場合、ＵＥは、サービングＷＬＡＮに関連付けられたままであり得る。式中の変数は次のように定義される。−Ｍｎは近隣ＷＬＡＮの測定結果であり、オフセットを考慮に入れず、−Ｏｆｎは、ネイバーＷＬＡＮの周波数の周波数固有オフセットであり（たとえば、ネイバーＷＬＡＮの周波数に対応するｍｅａｓＯｂｊｅｃｔＥＵＴＲＡ内で定義されたｏｆｆｓｅｔＦｒｅｑ）、−Ｏｃｎは、ネイバーＷＬＡＮのＷＬＡＮ固有オフセットであり（たとえば、ネイバーＷＬＡＮの周波数に対応するｍｅａｓＯｂｊｅｃｔＥＵＴＲＡ内で定義されたＷＬＡＮＩｎｄｉｖｉｄｕａｌＯｆｆｓｅｔ）、ネイバーＷＬＡＮのために構成されていない場合、０に設定され、−ＭｐはサービングＷＬＡＮの測定結果であり、オフセットを考慮に入れず、−Ｏｆｐは、１次周波数の周波数固有オフセットであり（たとえば、１次周波数に対応するｍｅａｓＯｂｊｅｃｔＥＵＴＲＡ内で定義されるｏｆｆｓｅｔＦｒｅｑ）、−Ｏｃｐは、サービングＷＬＡＮのＷＬＡＮ固有オフセットであり（たとえば、１次周波数に対応するｍｅａｓＯｂｊｅｃｔＥＵＴＲＡ内で定義されるＷＬＡＮＩｎｄｉｖｉｄｕａｌＯｆｆｓｅｔ）、サービングＷＬＡＮのために構成されていない場合、０に設定され、−Ｈｙｓは、このイベントのためのヒステリシスパラメータであり（たとえば、このイベントのためのｒｅｐｏｒｔＣｏｎｆｉｇＥＵＴＲＡ内で定義されたヒステリシス）、−Ｏｆｆは、このイベントのためのオフセットパラメータであり（たとえば、このイベントのためのｒｅｐｏｒｔＣｏｎｆｉｇＥＵＴＲＡ内で定義されたａ３−Ｏｆｆｓｅｔ）、−Ｍｎ、Ｍｐは、ＲＣＰＩの場合、ｄＢｍで表されるか、またはＲＳＮＩの場合、ｄＢで表され、−Ｏｆｎ、Ｏｃｎ、Ｏｆｐ、Ｏｃｐ、Ｈｙｓ、Ｏｆｆは、ｄＢで表される。
【００８０】
[0080]測定は、代替的に、負荷をも測定するようにも定義され得る（たとえば、両方の条件を考慮するか、または単に負荷を個別に考慮する）。代替は、ＵＥが、ＷＬＡＮへの接続性を管理し、サービングＡＰをＲＡＮに単に報告することを可能にすることになるであろう。これに関する１つの問題は、それがＬＴＥおよびＷＬＡＮがコロケートされたシナリオにどのように影響を及ぼすかである。これは、ＲＡＮがＬＴＥのＨＯ決定を行い、ＵＥがＷＬＡＮのＨＯ決定を行うからである。したがって、ＬＴＥおよびＷＬＡＮがコロケートされたとき、単一の共通決定点を有することは道理にかなう。
【００８１】
[0081]再び図６を参照すると、ある時間期間後に、（６０６において）イベントが、ＵＥ６２０を測定値報告を与えるようにトリガする。（６０８において）ＵＥ６２０は、無線アクセスネットワーク（ＲＡＮ）を介した無線リソース制御（ＲＲＣ）を使用して、測定値報告メッセージを送る。測定値報告は、概して、ＷＬＡＮについてのターゲット識別子および測定値を含む。
【００８２】
[0082]オーバージエア（ＯＴＡ：Over-the-air）情報要素（ＩＥ）および／または８０２．１１ｕ、８０２．１１ｋまたはＨｏｔｓｐｏｔ２．０に関係するＩＥが、ＷＬＡＮ測定値報告中に含まれ得る。ＯＴＡ  ＩＥは、ＷＬＡＮのＵＥによる測定値、またはＷＬＡＮ  ＡＰからのビーコンまたはプローブ応答中で受信されたＩＥに基づき得る。８０２．１１ｕ、８０２．１１ｋまたはＨｏｔｓｐｏｔ２．０ＩＥは、ＵＥとＷＬＡＮとの間でのＡＮＱＰを介したシグナリング、またはＷＬＡＮ  ＡＰからのビーコンまたはプローブ応答中で受信されたＩＥに基づき得る。いくつかの態様では、８０２．１１ｕ、８０２．１１ｋおよびＨｏｔｓｐｏｔ２．０は、コロケートＢＳおよびＷＬＡＮの場合、またはＢＳとＷＬＡＮ  ＡＰとの間の定義された新しいインターフェースにより、ＢＳにおいてすでに知られていることがある。
【００８３】
[0083]ＷＬＡＮターゲットＡＰ識別情報ＩＥは、上記で説明した測定値構成のために使用されるものと同じであり得る。測定値報告は、ターゲット識別子とターゲット周波数とによってターゲットＷＬＡＮ  ＡＰを定義する。ターゲット識別子は、ＷＬＡＮ  ＡＰまたはＷＬＡＮ  ＡＰのグループの１つまたは複数の識別子に対応し得る（たとえば、ＢＳＳＩＤ、ＳＳＩＤ、ＨＥＳＳＩＤ、３ＧＰＰセルラーネットワーク情報）。ターゲット周波数は、特定のＷＬＡＮチャネルまたはＷＬＡＮ帯域に対応し得る（たとえば、動作クラス、チャネル番号）。ＵＥがすでに事業者ＷＬＡＮ  ＡＰに接続されているとき、ＵＥは、関連付けられたＢＳＳＩＤを報告し、ａｌｒｅａｄｙＣｏｎｎｅｃｔｅｄ  ＩＥを介してＵＥがすでにＷＬＡＮ  ＡＰに接続されていることを示し得る。
【００８４】
[0084]ＯＴＡ測定値は、ＷＬＡＮのＵＥによる測定値またはＷＬＡＮ  ＡＰからのビーコン中で受信されたＩＥに基づいて、ＲＲＣを介してＵＥによって送られ得る。ＷＬＡＮターゲットＡＰ測定値の例としては、概して、受信信号強度インジケータ（ＲＳＳＩ）、受信チャネル電力インジケータ（ＲＣＰＩ）測定値、受信信号対雑音インジケータ（ＲＳＮＩ）測定値、チャネル負荷、ＷＡＮメトリック、およびＢＳＳ負荷がある。ＲＳＳＩ測定値は、総受信電力のスケーリングされた測定値を含み得る。ＲＣＰＩ測定値は、−１１０〜０ｄＢｍの範囲内の受信フレームの選択されたチャネルにおける受信ＲＦ電力の尺度（ＳＴＡ測定値）を与え得る。ＲＳＮＩ測定値は、受信ＩＥＥＥ８０２．１１フレームの信号対雑音プラス干渉比の指示（ＳＴＡ測定値）を与え得る。チャネル負荷は、測定ＳＴＡが、物理的キャリア検知を介してかまたはＮＡＶに示されるかのいずれかで、ビジーであるチャネルを判断する測定継続時間の比率（ＳＴＡ測定値）を含み得る。
【００８５】
[0085]ＷＡＮメトリックは、リンクステータス、バックホール速度およびローディング（Ｈｏｔｓｐｏｔ２．０）などのＷＡＮに関する情報を含み得る。ＢＳＳ負荷は、ＢＳＳ（８０２．１１ｋ）中に現在ＳＴＡ集団およびトラフィックレベルに関する情報を含み得る。上記で説明したターゲットＡＰ測定値に加えて、追加のターゲットＡＰ測定値も定義され得る。たとえば、ＷＬＡＮから関連付け解除するかまたはＨＯすることを決定するためのフレームエラーレートに関する統計値が考慮され得る。以下の表は、ＲＲＣ中でＵＥによって報告され得るＩＥの概要を与えるものである。
【表１】
2018067943.tif 000013
【００８６】
[0086]図７に、本開示のいくつかの態様による、例示的なＷＬＡＮモビリティプロシージャコールフローを示す。より詳細には、図７は、コアネットワーク（ＣＮ）において終端する発展型パケットシステム（ＥＰＳ：evolved packet system）ベアラのためのＷＬＡＮブースタオフロードプロシージャへのアンカーを示す。図示のように、図６中で同じく行われたように、ＵＥ６２０は、（６０４において）測定プロシージャを実行し、（６０８において）ＲＡＮを介したＲＲＣを使用して測定値報告メッセージを送る。
【００８７】
[0087]測定値報告に基づいて、ＢＳ６１０は、どのＥ−ＵＴＲＡＮ無線アクセスベアラ（ＥＲＡＢ）をブースタＡＰ７１０にオフロードすべきか判断し得る。（７０２において）ＢＳ６１０は、ＵＥにＲＲＣＣｏｎｎｅｃｔｉｏｎＲｅｃｏｎｆｉｇｕｒａｔｉｏｎメッセージを送る。いくつかの態様によれば、ＢＳ６１０は、たとえば、無線状態および／または負荷に基づいて、モビリティプロシージャをトリガし得る。いくつかの態様では、ＢＳはまた、（たとえば、ＵＥから測定値報告を受信することなしに）オフロードプロシージャをブラインドで開始し得る。
【００８８】
[0088]ＷＬＡＮプロシージャへのモビリティの少なくとも２つのタイプが、（たとえば、静的ポリシーまたは動的ポリシーに基づいて）定義され得る。いくつかの態様によれば、ＢＳ６１０は、ＷＬＡＮとのＵＥの関連付けまたはＷＬＡＮからのＵＥの関連付け解除をトリガし得る。ＵＥ６２０によってオフロードされる実際のＩＰフローは、静的ポリシー、たとえば、ＣＮによってＵＥ６２０上に構成されたアクセスネットワーク発見および選択機能（ＡＮＤＳＦ：access network discovery and selection function）、またはＣＮによって制御されるＧＰＲＳトンネリングプロトコルを介したＳ２ａベースのモビリティ（ＳａＭＯＧ：S2a-based mobility over GPRS tunneling protocol）に基づく動的ポリシーに基づき、ＵＥ６２０に伝搬され得る。
【００８９】
[0089]ＩＥ  ＷＬＡＮＭｏｂｉｌｉｔｙＩｎｆｏは、静的ポリシーに基づくＷＬＡＮへの／内のネットワーク制御モビリティのための関係するパラメータを含み得る。
【表２】
2018067943.tif 000014
【００９０】
[0090]いくつかの態様によれば、静的ポリシーに基づくＷＬＡＮへの／内のネットワーク制御モビリティのために必要とされるＷＬＡＮＭｏｂｉｌｉｔｙＩｎｆｏパラメータに加えて、ＢＳ６１０は、（たとえば、ＲＡＮにおける動的ポリシーに基づく）ＲＲＣＣｏｎｎｅｃｔｉｏｎＲｅｃｏｎｆｉｇｕｒａｔｉｏｎメッセージ中のＷＬＡＮＲｏｕｔｉｎｇＩｎｆｏフィールドによってオフロードするために、ＩＰフローまたはアクセスポイント名（ＡＰＮ）トラフィックを追加、削除、または変更するためにＵＥ６２０をトリガし得る。これを以下によって示す。
【表３】
2018067943.tif 000015
【００９１】
[0091]動的ポリシーを実装するため、ＲＡＮは、ポリシーの正確なタイプを（すなわち、ＩＰフローまたはＡＰＮオフロードを、それぞれ）ＵＥに伝搬するために、シームレスＷＬＡＮオフロードのためにＵＥ６２０がＩＰフローモビリティ（ＩＦＯＭ）または多重アクセスＰＤＮ接続性（ＭＡＰＣＯＮ：multi-access PDN connectivity）を使用しているかどうかを知る必要があり得る。この情報は、接続が確立され、ハンドオーバ（ＨＯ）メッセージ中で伝搬されるとき、Ｓ１を介して受信されるＵＥコンテキスト中に含まれ得る。代替として、この情報は、接続確立における能力としてＵＥによって示され、ＵＥがハンドオーバされるコンテキスト中に含まれ得る。ＷＬＡＮＦｌｏｗＩｎｆｏＩＥ中のフィールドは、概して、以下を含む。
【表４】
2018067943.tif 000016
【００９２】
[0092]再び図７を参照すると、（７０４において）ＵＥ６２０は、ＲＲＣＣｏｎｎｅｃｔｉｏｎＲｅｃｏｎｆｉｇｕｒａｔｉｏｎメッセージに基づいて、ＡＰ７１０との関連付け（解除）を実行する。デュアルスタックモバイルＩＰｖ６（ＤＳＭＩＰｖ６：dual-stack mobile IPv6）の場合は、（７０６において）ＩＰアドレス連続性のためのＰＧＷ７２０へのバインディング更新をも送る。ＵＥ６２０は、ＵＬデータを送り、ブースタＡＰ７１０へのＤＬデータを受信し得る。ＩＰアドレス連続性が利用可能でないとき、ＵＥ６２０は、ＲＡＮインターフェースを介して既存の接続に関連付けられたトラフィックを送り続け得る。しかしながら、新しい接続は、シグナリングされたマッピングに従い得る。７０８において、ＵＥ６２０は、ＢＳ６１０にＲＲＣＣｏｎｎｅｃｔｉｏｎＲｅｃｏｎｆｉｇｕｒａｔｉｏｎＣｏｍｐｌｅｔｅメッセージを送る。
【００９３】
[0093]図８に、本開示のいくつかの態様による、ＷＬＡＮブースタＡＰのための例示的な自動ＷＬＡＮネイバーリレーションプロシージャを示す。いくつかの態様では、静的ＷＬＡＮネイバーリレーション情報のみが、自動ＷＬＡＮネイバーリレーションプロシージャの一部として報告され得る。
【００９４】
[0094]ＬＴＥ測定値報告とは異なり、（６０８において）ＷＬＡＮ−ＩＤは、ＷＬＡＮ
ＡＰ８１０を一意に識別し、コロケートＷＬＡＮ  ＡＰおよびＢＳの場合、またはｅＮＢインターフェースまでのＷＬＡＮが利用可能な場合、バックホールを介して情報が交換され得るので、自動ＷＬＡＮネイバーリレーションプロシージャは必要とされないことがある。しかしながら、ＢＳ６１０とコロケートされていないＷＬＡＮ  ＡＰの場合、８０２において、ＢＳ６１０は、パラメータとして新たに発見されたＷＬＡＮ−ＩＤを使用して、関係する近隣ＷＬＡＮ  ＡＰ８１０の追加ＷＬＡＮパラメータを報告するようにＵＥ６２０に命令する。８０４において、ＵＥ６２０は、８０２．１１ｕおよびＨｏｔｓｐｏｔ２．０において定義されているアクセスネットワーククエリプロトコル（ＡＮＱＰ）を使用して、さらなる情報のためにＷＬＡＮ  ＡＰ８１０に照会する。８０６において、ＵＥ６２０はＷＬＡＮパラメータをＢＳ６１０に報告する。
【００９５】
[0095]場合によっては、いくつかのＩＥ（たとえば、８０２．１１ｕ、８０２．１１ｋまたはＨｏｔｓｐｏｔ２．０ＩＥ）が、自動ＷＬＡＮネイバーリレーション報告中に含まれ得る。８０２．１１ｕ、８０２．１１ｋまたはＨｏｔｓｐｏｔ２．０ＩＥは、ＵＥとＷＬＡＮとの間でのＡＮＱＰを介したシグナリング、またはＷＬＡＮ  ＡＰからのビーコンまたはプローブ応答中で受信されたＩＥに基づき得る。上記で説明したように、８０２．１１ｕ、８０２．１１ｋおよびＨｏｔｓｐｏｔ２．０ＩＥは、コロケートＢＳおよびＷＬＡＮの場合、またはｅＮＢとＷＬＡＮ  ＡＰとの間の定義された新しいインターフェースにより、ＢＳにおいてすでに知られていることがあり、その場合、自動ＷＬＡＮネイバーリレーションプロシージャは必要とされない。
【００９６】
[0096]自動ＷＬＡＮネイバーリレーション報告は、ネイバー報告と、インターワーキングと、ローミングコンソーシアムと、ネットワーク認証タイプと、ＩＰアドレスタイプ利用可能性と、ベニュー名と、ロケーションと、接続能力と、事業者フレンドリー名とを含み得る。ネイバー報告（８０２．１１ｋ）は、概して、サービスセット遷移のための候補である知られているネイバーＡＰに関する情報を含む。インターワーキング（８０２．１１ｕ）は、アクセスネットワークタイプ（たとえば、フリー、プライベート、インターネット接続利用可能性など）を指示し得る。ローミングコンソーシアム（８０２．１１ｕ）は、それのネットワークがこのＡＰを介してアクセス可能であるローミングコンソーシアムまたはＳＳＰに関する情報を与え得る（たとえば、この要素を送信するＡＰを用いて認証するために、それのセキュリティ証明が使用され得る）。最高３つが記載され得る。ネットワーク認証タイプ（８０２．１１ｕ）は、条件の受入れ、サポートされたオンライン登録、ＨＴＴＰ／Ｓリダイレクション、またはＤＮＳリダイレクションを含む認証タイプのリストを与え得る。ＩＰアドレスタイプ利用可能性（８０２．１１ｕ）は、ＩＰｖ６、パブリックＩＰｖ４、ポート制限付きＩＰｖ４、シングルＮＡＴ（Single NATed）プライベートＩＰｖ４、ダブルＮＡＴ（Double NATed）、プライベートＰｖ４などを含む、ＩＰアドレスバージョンおよびタイプの利用可能性に関する情報を与え得る。
【００９７】
[0097]ベニュー名は、ＢＳＳに関連付けられた０個以上のベニュー名を与え得る。２つ以上が含まれ得るが、すべてが、異なる人間言語での同じ事業者名を表すことがある。ロケーション（８０２．１１ｕ）は、ＬＣＩフォーマットで（たとえば、緯度−経度座標、またはストリートアドレス、またはＵＲＩとして）ＡＰのロケーションを与え得る。接続能力（Ｈｏｔｓｐｏｔ２．０）は、最も一般的に使用される通信プロトコルおよびポートのホットスポット内での接続ステータスに関する情報を与え得る。たとえば、アクセスネットワークへのファイアウォールアップストリームは、他の上での通信を阻止しながら、いくつかのＩＰプロトコルおよびポート上での通信を可能にし得る。事業者フレンドリー名（Ｈｏｔｓｐｏｔ２．０）は、ＩＥＥＥ８０２．１１ＡＮを動作させる０個以上の事業者を与え得る。２つ以上が含まれ得るが、すべてが、異なる人間言語での同じ事業者名を表す。上記で説明されたターゲットＡＰ測定値に加えて、追加のターゲットＡＰ測定値が定義され得る。
【００９８】
[0098]いくつかのシナリオでは、ＡＮＤＳＦポリシーが、不良なＷＬＡＮにＵＥのトラフィックを送り得るが、ＵＥはＲＲＣアイドル状態にあるので、ＲＡＮはこれを検出せず、フィックスし得ない。また、密なインターワーキングがＷＬＡＮネットワークとＲＡＮネットワークとの間にあり得、ＷＬＡＮへのすべてのモビリティがＲＡＮにおいて協調される必要があり得るシナリオがある。いくつかの態様では、ＲＡＮは、ＲＡＮ制御ＷＬＡＮオフロードがセル中で可能にされるかどうかをブロードキャスト制御チャネル（ＢＣＣＨ）を介して示し得る。可能にされるとき、セルにキャンプオンされたサポートＵＥはトラフィックのためにＲＡＮに接続し得、ＲＡＮはどのベアラがオフロードされるか判断し得、すなわち、ＵＥがＡＮＤＳＦとＲＡＮ制御ＷＬＡＮインターワーキングとをサポートする場合、ＵＥは、ＷＬＡＮを介してトラフィックを関連付けるかまたは送る前に、ＡＮＤＳＦポリシーを無効にしてＲＡＮに接続し得る。ＲＡＮは、次いで、上記で説明したように、トラフィックをＷＬＡＮのほうへステアリングし得る。
【００９９】
[0099]場合によっては、たとえば、コロケートＷＬＡＮおよびＬＴＥ／ＵＭＴＳセルにおいてシームレスフローモビリティまたはＷＬＡＮおよび３ＧＰＰデータアグリゲーションがサポートされる場合、いくつかの事例では、プロシージャがＲＡＮにおいて開始され得るように、ネットワークはＵＥにこのサポートを示し得る。この場合、ＵＥは、最良の性能を保証するために、トラフィックをＷＬＡＮに関連付けるおよび／または送る前に最初にＲＡＮにアクセスし得る。
【０１００】
[0100]図９に、本開示のいくつかの態様による、データ送信をセルラーネットワークからＷＬＡＮ  ＡＰにオフロードするための例示的な動作を示す。動作９００は、たとえば、基地局（ＢＳ）によって実行され得る。
【０１０１】
[0101]９０２において、ＢＳは、１つまたは複数のＷＬＡＮ  ＡＰを測定するようにとの要求をＵＥに送信する。９０４において、第１のＡＰについての測定値がしきい値を超える場合、ＢＳはＷＬＡＮ  ＡＰのうちの少なくとも第１のＡＰについての報告を受信する。第１のＡＰについてのメトリックの報告を受信すると、ＢＳは、データ送信をセルラーネットワークから第１のＡＰにオフロードするための無線リソース制御（ＲＲＣ）コマンドを送信し得る。
【０１０２】
[0102]図１０に、本開示のいくつかの態様による、ＷＬＡＮ  ＡＰのメトリックをセルラーネットワークに報告するための例示的な動作を示す。動作１０００は、たとえば、ＵＥによって実行され得る。
【０１０３】
[0103]１００２において、ＵＥは、サービング基地局から、１つまたは複数のＷＬＡＮ
ＡＰを測定するようにとの要求を受信する。１００４において、ＵＥは、その要求に基づいてＷＬＡＮ  ＡＰについての１つまたは複数のメトリックを判断する。１００６において、ＵＥは、ＷＬＡＮ  ＡＰについてのメトリックをしきい値と比較する。１００８において、第１のＡＰについてのメトリックがしきい値を超える場合、ＵＥはＷＬＡＮ  ＡＰのうちの少なくとも第１のＡＰを報告する。第１のＡＰについてのメトリックを報告すると、ＵＥは、データ送信をセルラーネットワークから第１のＡＰにオフロードするための無線リソース制御（ＲＲＣ）コマンドを受信し得、ＲＲＣコマンドを受信すると、ＵＥは第１のＡＰに関連し得る。
【０１０４】
[0104]いくつかの態様によれば、ＵＥは、サービング基地局がワイヤレスローカルエリアネットワーク（ＷＬＡＮ）および無線アクセスネットワーク（ＲＡＮ）インターワーキングをサポートするかどうかを判断し、その判断に基づいて、送信をＷＬＡＮアクセスポイント（ＡＰ）と関連付けるかまたは交換する前にサービング基地局にアクセスするかどうかを判断し得る。場合によっては、判断することは、ＷＬＡＮおよびＲＡＮインターワーキングがサービング基地局のこのセル中で可能にされるかどうかを、サービング基地局がＢＣＣＨを介して示すかどうかを判断することを備える。
【０１０５】
[0105]指示は、サポートＷＬＡＮおよびＲＡＮインターワーキングの指示、１つまたは複数のＷＬＡＮ  ＡＰの識別子、または１つまたは複数のＷＬＡＮ  ＡＰについての広告のタイミングの指示のうちの１つまたは複数を備え得、判断は指示が存在するかどうかを判断することを備える。１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される。
【０１０６】
[0106]場合によっては、ＵＥは、サービング基地局にアクセスし、サービング基地局からＷＬＡＮ  ＡＰを測定するようにとの要求を受信し得る。場合によっては、ＵＥは、サービング基地局にアクセスし、アクセスプロシージャの一部としてＷＬＡＮ  ＡＰを識別し得る。場合によっては、送信をＷＬＡＮ  ＡＰと関連付けるかまたは交換する前にサービング基地局にアクセスするかどうかを判断することは、送信をＷＬＡＮ  ＡＰと関連付けるかまたは交換する前にサービング基地局にアクセスすることをポリシーが示すかどうかを判断すること備える。ポリシーは、コアネットワーク（ＣＮ）からのポリシーを備え得、場合によっては、それのために最初にサービング基地局にアクセスするためのトラフィックのタイプを示し得る。トラフィックのタイプは、１つまたは複数のインターネットプロトコル（ＩＰ）フロー、ベアラ、またはアクセスポイント名（ＡＰＮ）トラフィックを備え得る。
【０１０７】
[0107]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示されている動作がある場合、それらの動作は、同様の番号をもつ対応するカウンターパートのミーンズプラスファンクション構成要素を有し得る。
【０１０８】
[0108]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。
【０１０９】
[0109]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むものとする。
【０１１０】
[0110]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【０１１１】
[0111]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１２】
[0112]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【０１１３】
[0113]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１１４】
[0114]説明された機能は、ハードウェア、ソフトウェア、ファームウェア、またはそれらの任意の組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザーディスク（登録商標）disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザで光学的に再生する。
【０１１５】
[0115]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１１６】
[0116]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１１７】
[0117]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【０１１８】
[0118]特許請求の範囲は、上記に示した厳密な構成および構成要素に限定されないことを理解されたい。上記で説明した方法および装置の構成、動作および詳細において、特許請求の範囲から逸脱することなく、様々な改変、変更および変形が行われ得る。
【０１１９】
[0119]上記は本開示の態様を対象とするが、本開示の他の態様およびさらなる態様は、それらの基本的範囲から逸脱することなく考案され得、それらの範囲は以下の特許請求の範囲によって判断される。
【図１】
2018067943.tif 000017
【図２】
2018067943.tif 000018
【図３】
2018067943.tif 000019
【図４】
2018067943.tif 000020
【図５】
2018067943.tif 000021
【図６】
2018067943.tif 000022
【図７】
2018067943.tif 000023
【図８】
2018067943.tif 000024
【図９】
2018067943.tif 000025
【図１０】
2018067943.tif 000026
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
無線アクセスネットワーク（ＲＡＮ）のサービング基地局から、１つまたは複数のワイヤレスローカルエリアネットワーク（ＷＬＡＮ）アクセスポイント（ＡＰ）を測定するようにとの要求を受信することと、ここにおいて、測定するようにとの前記要求が、前記ＲＡＮのタイミングに対するＷＬＡＮビーコンの送信時間を前記ＵＥに示す測定値構成を備える、
前記要求に基づいて前記１つまたは複数のＷＬＡＮ  ＡＰのうちの少なくとも１つについての１つまたは複数のメトリックを判断することと、
前記１つまたは複数のＷＬＡＮ  ＡＰのうちの前記少なくとも１つについての前記１つまたは複数のメトリックをしきい値と比較することと、
前記比較に基づいて前記１つまたは複数のＷＬＡＮ  ＡＰのうちの第１のＡＰを報告することと、
前記報告することに基づいて、データ送信をセルラーネットワークから前記第１のＡＰにオフロードするためのコマンドを受信することと、ここにおいて、どのデータ送信が前記セルラーネットワークから前記第１のＡＰにオフロードされるかは、コアネットワーク（ＣＮ）からの第１のポリシーに基づく、
前記コマンドを受信した後、前記コアネットワークからの第２のポリシーに基づいて、送信を前記第１のＡＰと関連付けるかまたは交換する前に前記サービング基地局にアクセスするためのトラフィックのタイプを判断することと
を備える、方法。
【請求項２】
前記報告が、前記第１のＡＰの識別子と前記メトリックのうちの１つまたは複数とを備える、請求項１に記載の方法。
【請求項３】
前記報告することが、
前記ＵＥがすでに前記第１のＡＰに接続されていることを報告すること
をさらに備える、請求項１に記載の方法。
【請求項４】
前記第１のＡＰを報告したときに、
前記データ送信を前記セルラーネットワークから前記第１のＡＰにオフロードするための無線リソース制御（ＲＲＣ）コマンドを受信すること
をさらに備える、請求項１に記載の方法。
【請求項５】
前記ＲＲＣコマンドを受信したときに、前記第１のＡＰに関連付けることをさらに備える、請求項４に記載の方法。
【請求項６】
前記ＲＲＣコマンドが前記第１のＡＰの識別子を備える、請求項４に記載の方法。
【請求項７】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項４に記載の方法。
【請求項８】
オフロードするための前記ＩＰフローまたは前記ＡＰＮトラフィックが、シームレス接続性または非シームレス接続性のうちの１つまたは複数として指定される、請求項７に記載の方法。
【請求項９】
前記シームレス接続性がインターネットプロトコルフローモビリティ（ＩＦＯＭ）または多重アクセスパケットデータネットワーク接続性（ＭＡＰＣＯＮ）を備える、請求項８に記載の方法。
【請求項１０】
前記第１のＡＰを報告したときに、
前記第１のＡＰに関する追加情報を報告するようにとの構成要求を受信すること
をさらに備える、請求項１に記載の方法。
【請求項１１】
前記第１のＡＰに関する前記追加情報を報告することが、前記第１のＡＰとのアクセスネットワーククエリプロトコル（ＡＮＱＰ）を実行することを備える、請求項１０に記載の方法。
【請求項１２】
前記ＷＬＡＮ  ＡＰのうちの前記第１のＡＰを報告することは、
前記第１のＡＰについての前記メトリックが前記しきい値を下回る場合、前記１つまたは複数のＷＬＡＮ  ＡＰのうちの前記第１のＡＰを報告すること
を備える、請求項１に記載の方法。
【請求項１３】
前記第１のＡＰについて報告したときに、
前記第１のＡＰとの関連付けを解除するための無線リソース制御（ＲＲＣ）コマンドを受信することをさらに備える、請求項１２に記載の方法。
【請求項１４】
前記第１のＡＰとの関連付けを解除することが、データ送信を前記第１のＡＰからセルラーネットワークにオフロードすることを備える、請求項１３に記載の方法。
【請求項１５】
前記１つまたは複数のＷＬＡＮ  ＡＰのうちの少なくとも１つについての前記１つまたは複数のメトリックを判断することが、前記１つまたは複数のＷＬＡＮ  ＡＰのうちの前記少なくとも１つからビーコンまたはプローブ応答中で情報要素（ＩＥ）を受信することを備える、請求項１に記載の方法。
【請求項１６】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項２に記載の方法。
【請求項１７】
前記１つまたは複数のＷＬＡＮ  ＡＰが特定のＷＬＡＮチャネルまたはＷＬＡＮ帯域に対応する、請求項１に記載の方法。
【請求項１８】
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項１に記載の方法。
【請求項１９】
前記１つまたは複数のＷＬＡＮ  ＡＰのうちの前記第１のＡＰを報告することは、
前記第１のＡＰについての前記１つまたは複数のメトリックが前記しきい値を超える場合、前記第１のＡＰを報告すること
を備える、請求項１に記載の方法。
【請求項２０】
前記サービング基地局がＷＬＡＮおよび無線アクセスネットワーク（ＲＡＮ）インターワーキングをサポートするかどうかを判断することと、
前記判断に基づいて、送信をＷＬＡＮ  ＡＰと関連付けるかまたは交換する前に前記サービング基地局にアクセスするかどうかを判断することと
をさらに備える、請求項１に記載の方法。
【請求項２１】
無線アクセスネットワーク（ＲＡＮ）の基地局によるワイヤレス通信のための方法であって、
ユーザ機器（ＵＥ）に、１つまたは複数のワイヤレスローカルエリアネットワーク（ＷＬＡＮ）アクセスポイント（ＡＰ）を測定するようにとの要求を送信することと、ここにおいて、測定するようにとの前記要求が、前記ＲＡＮのタイミングに対するＷＬＡＮビーコンの送信時間を前記ＵＥに示す測定値構成を備える、
前記１つまたは複数のＷＬＡＮ  ＡＰのうちの第１のＡＰについての報告を受信することと、
前記報告に基づいて、データ送信をセルラーネットワークから前記第１のＡＰにオフロードするためのコマンドを送信することと、ここにおいて、どのデータ送信が前記セルラーネットワークから前記第１のＡＰにオフロードされるかは、コアネットワーク（ＣＮ）からの第１のポリシーに基づく、
ここにおいて、前記ＣＮからの第２のポリシーは、前記ＵＥが、前記コマンドを受信した後、送信を前記第１のＡＰと関連付けるかまたは交換する前に前記基地局にアクセスするためのトラフィックのタイプを示す、
を備える、方法。
【請求項２２】
前記報告が、前記第１のＡＰの識別子と前記メトリックのうちの１つまたは複数とを備える、請求項２１に記載の方法。
【請求項２３】
前記報告は、前記ＵＥがすでに前記第１のＡＰに接続されているとの指示を備える、請求項２１に記載の方法。
【請求項２４】
前記第１のＡＰについての前記報告を受信したときに、
前記データ送信を前記セルラーネットワークから前記第１のＡＰにオフロードするための無線リソース制御（ＲＲＣ）コマンドを送信すること
をさらに備える、請求項２１に記載の方法。
【請求項２５】
前記ＲＲＣコマンドが前記第１のＡＰの識別子を備える、請求項２４に記載の方法。
【請求項２６】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項２４に記載の方法。
【請求項２７】
オフロードするための前記ＩＰフローまたは前記ＡＰＮトラフィックが、シームレス接続性または非シームレス接続性のうちの１つまたは複数として指定される、請求項２６に記載の方法。
【請求項２８】
前記シームレス接続性がインターネットプロトコルフローモビリティ（ＩＦＯＭ）または多重アクセスパケットデータネットワーク接続性（ＭＡＰＣＯＮ）を備える、請求項２７に記載の方法。
【請求項２９】
前記第１のＡＰについての前記報告を受信したときに、
データ送信をサービングＷＬＡＮ  ＡＰから前記第１のＡＰにオフロードするための無線リソース制御（ＲＲＣ）コマンドを送信すること
をさらに備える、請求項２１に記載の方法。
【請求項３０】
前記第１のＡＰについての前記報告を受信したときに、
前記第１のＡＰに関する追加情報が必要とされるかどうかを判断することと、
前記追加情報が必要とされると判断したときに、前記ＵＥに、前記第１のＡＰに関する追加情報を報告するようにとの構成要求を送信することと
をさらに備える、請求項２１に記載の方法。
【請求項３１】
前記第１のＡＰが前記基地局とコロケートされている場合、前記第１のＡＰに関する前記追加情報が必要とされない、請求項３０に記載の方法。
【請求項３２】
前記追加情報が、前記第１のＡＰと前記基地局との間のバックホールリンクを介して取得される、請求項３０に記載の方法。
【請求項３３】
前記第１のＡＰに関する前記追加情報がサーバから取得される、請求項３０に記載の方法。
【請求項３４】
前記報告を受信することは、
前記第１のＡＰについての測定値が前記しきい値を下回る場合、前記１つまたは複数のＷＬＡＮ  ＡＰのうちの前記第１のＡＰの前記報告を受信すること
を備える、請求項２１に記載の方法。
【請求項３５】
前記第１のＡＰについての前記報告を受信したときに、
前記第１のＡＰとの関連付けを解除するための無線リソース制御（ＲＲＣ）コマンドを送信すること
をさらに備える、請求項３４に記載の方法。
【請求項３６】
前記第１のＡＰとの関連付けを解除することが、データ送信を前記第１のＡＰからセルラーネットワークにオフロードすることを備える、請求項３５に記載の方法。
【請求項３７】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項２２に記載の方法。
【請求項３８】
前記１つまたは複数のＷＬＡＮ  ＡＰが特定のＷＬＡＮチャネルまたはＷＬＡＮ帯域に対応する、請求項２１に記載の方法。
【請求項３９】
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項２１に記載の方法。
【請求項４０】
前記報告を受信することは、
前記第１のＡＰについての測定値がしきい値を超える場合、前記ＷＬＡＮ  ＡＰのうちの前記第１のＡＰの前記報告を受信すること
を備える、請求項２１に記載の方法。
【請求項４１】
ユーザ機器（ＵＥ）によるワイヤレス通信のための装置であって、
無線アクセスネットワーク（ＲＡＮ）のサービング基地局から、１つまたは複数のワイヤレスローカルエリアネットワーク（ＷＬＡＮ）アクセスポイント（ＡＰ）を測定するようにとの要求を受信するための手段と、ここにおいて、測定するようにとの前記要求が、前記ＲＡＮのタイミングに対するＷＬＡＮビーコンの送信時間を前記ＵＥに示す測定値構成を備える、
前記要求に基づいて前記１つまたは複数のＷＬＡＮ  ＡＰのうちの少なくとも１つについての１つまたは複数のメトリックを判断するための手段と、
前記１つまたは複数のＷＬＡＮ  ＡＰのうちの前記少なくとも１つについての前記メトリックをしきい値と比較するための手段と、
前記比較に基づいて前記１つまたは複数のＷＬＡＮ  ＡＰのうちの第１のＡＰを報告するための手段と、
前記報告することに基づいて、データ送信をセルラーネットワークから前記第１のＡＰにオフロードするためのコマンドを受信するための手段と、ここにおいて、どのデータ送信が前記セルラーネットワークから前記第１のＡＰにオフロードされるかは、コアネットワーク（ＣＮ）からの第１のポリシーに基づく、
前記コマンドを受信した後、前記ＣＮからの第２のポリシーに基づいて、送信を前記第１のＡＰと関連付けるかまたは交換する前に前記サービング基地局にアクセスするためのトラフィックのタイプを判断するための手段と
を備える、装置。
【請求項４２】
前記報告が、前記第１のＡＰの識別子と前記メトリックのうちの１つまたは複数とを備える、請求項４１に記載の装置。
【請求項４３】
報告するための前記手段が、
前記ＵＥがすでに前記第１のＡＰに接続されていることを報告するための手段
をさらに備える、請求項４１に記載の装置。
【請求項４４】
前記第１のＡＰを報告したときに、前記データ送信を前記セルラーネットワークから前記第１のＡＰにオフロードするための無線リソース制御（ＲＲＣ）コマンドを受信するための手段
をさらに備える、請求項４１に記載の装置。
【請求項４５】
前記ＲＲＣコマンドを受信したときに、前記第１のＡＰに関連付けるための手段をさらに備える、請求項４４に記載の装置。
【請求項４６】
前記ＲＲＣコマンドが前記第１のＡＰの識別子を備える、請求項４４に記載の装置。
【請求項４７】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項４４に記載の装置。
【請求項４８】
オフロードするための前記ＩＰフローまたは前記ＡＰＮトラフィックが、シームレス接続性または非シームレス接続性のうちの１つまたは複数として指定される、請求項４７に記載の装置。
【請求項４９】
前記シームレス接続性がインターネットプロトコルフローモビリティ（ＩＦＯＭ）または多重アクセスパケットデータネットワーク接続性（ＭＡＰＣＯＮ）を備える、請求項４８に記載の装置。
【請求項５０】
前記第１のＡＰを報告したときに、前記第１のＡＰに関する追加情報を報告するようにとの構成要求を受信するための手段
をさらに備える、請求項４１に記載の装置。
【請求項５１】
前記第１のＡＰに関する前記追加情報を報告するための前記手段が、前記第１のＡＰとのアクセスネットワーククエリプロトコル（ＡＮＱＰ）を実行するための手段を備える、請求項５０に記載の装置。
【請求項５２】
報告するための前記手段は、
前記第１のＡＰについての前記メトリックが前記しきい値を下回る場合、前記１つまたは複数のＷＬＡＮ  ＡＰのうちの前記第１のＡＰを報告するように構成される、請求項４１に記載の装置。
【請求項５３】
前記第１のＡＰについて報告したときに、前記第１のＡＰとの関連付けを解除するための無線リソース制御（ＲＲＣ）コマンドを受信するための手段
をさらに備える、請求項５２に記載の装置。
【請求項５４】
前記第１のＡＰとの関連付けを解除することが、データ送信を前記第１のＡＰからセルラーネットワークにオフロードすることを備える、請求項５３に記載の装置。
【請求項５５】
前記１つまたは複数のＷＬＡＮ  ＡＰについての前記１つまたは複数のメトリックを判断するための手段が、前記ＷＬＡＮ  ＡＰからビーコンまたはプローブ応答中で情報要素（ＩＥ）を受信するための手段を備える、請求項４１に記載の装置。
【請求項５６】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項４２に記載の装置。
【請求項５７】
前記１つまたは複数のＷＬＡＮ  ＡＰが特定のＷＬＡＮチャネルまたはＷＬＡＮ帯域に対応する、請求項４１に記載の装置。
【請求項５８】
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項４１に記載の装置。
【請求項５９】
報告するための前記手段は、
前記第１のＡＰについての前記メトリックが前記しきい値を超える場合、前記第１のＡＰを報告するように構成される、請求項４１に記載の装置。
【請求項６０】
前記サービング基地局がＷＬＡＮおよび無線アクセスネットワーク（ＲＡＮ）インターワーキングをサポートするかどうかを判断するための手段と、
前記サービング基地局がＷＬＡＮおよび無線アクセスネットワーク（ＲＡＮ）インターワーキングをサポートするかどうかを判断した結果に基づいて、送信をＷＬＡＮ  ＡＰと関連付けるかまたは交換する前に前記サービング基地局にアクセスするかどうかを判断するための手段と
をさらに備える、請求項４１に記載の装置。
【請求項６１】
無線アクセスネットワーク（ＲＡＮ）の基地局によるワイヤレス通信のための装置であって、
ユーザ機器（ＵＥ）に、１つまたは複数のワイヤレスローカルエリアネットワーク（ＷＬＡＮ）アクセスポイント（ＡＰ）を測定するようにとの要求を送信するための手段と、ここにおいて、測定するようにとの前記要求が、前記ＲＡＮのタイミングに対するＷＬＡＮビーコンの送信時間を前記ＵＥに示す測定値構成を備える、
前記１つまたは複数のＷＬＡＮ  ＡＰのうちの第１のＡＰについての報告を受信するための手段と、
前記報告に基づいて、データ送信をセルラーネットワークから前記第１のＡＰにオフロードするためのコマンドを送信するための手段と、ここにおいて、どのデータ送信が前記セルラーネットワークから前記第１のＡＰにオフロードされるかは、コアネットワーク（ＣＮ）からの第１のポリシーに基づく、
ここにおいて、前記ＣＮからの第２のポリシーは、前記ＵＥが、前記コマンドを受信した後、送信を前記第１のＡＰと関連付けるかまたは交換する前に前記基地局にアクセスするためのトラフィックのタイプを示す、
を備える、装置。
【請求項６２】
前記報告が、前記第１のＡＰの識別子と前記メトリックのうちの１つまたは複数とを備える、請求項６１に記載の装置。
【請求項６３】
前記報告は、前記ＵＥがすでに前記第１のＡＰに接続されているとの指示を備える、請求項６１に記載の装置。
【請求項６４】
前記第１のＡＰについての前記報告を受信したときに、前記データ送信を前記セルラーネットワークから前記第１のＡＰにオフロードするための無線リソース制御（ＲＲＣ）コマンドを送信するための手段
をさらに備える、請求項６１に記載の装置。
【請求項６５】
前記ＲＲＣコマンドが前記第１のＡＰの識別子を備える、請求項６４に記載の装置。
【請求項６６】
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、請求項６４に記載の装置。
【請求項６７】
オフロードするための前記ＩＰフローまたは前記ＡＰＮトラフィックが、シームレス接続性または非シームレス接続性のうちの１つまたは複数として指定される、請求項６６に記載の装置。
【請求項６８】
前記シームレス接続性がインターネットプロトコルフローモビリティ（ＩＦＯＭ）または多重アクセスパケットデータネットワーク接続性（ＭＡＰＣＯＮ）を備える、請求項６７に記載の装置。
【請求項６９】
前記第１のＡＰについての前記報告を受信したときに、データ送信をサービングＷＬＡＮ  ＡＰから前記第１のＡＰにオフロードするための無線リソース制御（ＲＲＣ）コマンドを送信するための手段
をさらに備える、請求項６１に記載の装置。
【請求項７０】
前記第１のＡＰについての前記報告を受信したときに、前記第１のＡＰに関する追加情報が必要とされるかどうかを判断するための手段と、
前記第１のＡＰに関する追加情報が必要とされると判断したときに、前記ＵＥに、前記追加情報を報告するようにとの構成要求を送信するための手段と
をさらに備える、請求項６１に記載の装置。
【請求項７１】
前記第１のＡＰが前記基地局とコロケートされている場合、前記第１のＡＰに関する前記追加情報が必要とされない、請求項７０に記載の装置。
【請求項７２】
前記追加情報が、前記第１のＡＰと前記基地局との間のバックホールリンクを介して取得される、請求項７０に記載の装置。
【請求項７３】
前記第１のＡＰに関する前記追加情報がサーバから取得される、請求項７０に記載の装置。
【請求項７４】
受信するための前記手段は、
前記第１のＡＰについての測定値が前記しきい値を下回る場合、前記１つまたは複数のＷＬＡＮ  ＡＰのうちの前記第１のＡＰの前記報告を受信するように構成される、請求項６１に記載の装置。
【請求項７５】
前記第１のＡＰについての前記報告を受信したときに、前記第１のＡＰとの関連付けを解除するための無線リソース制御（ＲＲＣ）コマンドを送信するための手段
をさらに備える、請求項７４に記載の装置。
【請求項７６】
前記第１のＡＰとの関連付けを解除することが、データ送信を前記第１のＡＰからセルラーネットワークにオフロードすることを備える、請求項７５に記載の装置。
【請求項７７】
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、請求項６２に記載の装置。
【請求項７８】
前記１つまたは複数のＷＬＡＮ  ＡＰが特定のＷＬＡＮチャネルまたはＷＬＡＮ帯域に対応する、請求項６１に記載の装置。
【請求項７９】
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、請求項６１に記載の装置。
【請求項８０】
受信するための前記手段は、
前記第１のＡＰについての測定値がしきい値を超える場合、前記第１のＡＰの前記報告を受信するように構成される、請求項６１に記載の装置。
【請求項８１】
ワイヤレス通信のための装置であって、
無線アクセスネットワーク（ＲＡＮ）のサービング基地局から、１つまたは複数のワイヤレスローカルエリアネットワーク（ＷＬＡＮ）アクセスポイント（ＡＰ）を測定するようにとの要求を受信することと、ここにおいて、測定するようにとの前記要求が、前記ＲＡＮのタイミングに対するＷＬＡＮビーコンの送信時間を前記ＵＥに示す測定値構成を備える、
前記要求に基づいて、前記１つまたは複数のＷＬＡＮ  ＡＰのうちの少なくとも１つについての１つまたは複数のメトリックを判断することと、
前記１つまたは複数のＷＬＡＮ  ＡＰのうちの前記少なくとも１つについての前記１つまたは複数のメトリックをしきい値と比較することと、
前記比較に基づいて前記１つまたは複数のＷＬＡＮ  ＡＰのうちの第１のＡＰを報告することと、
前記報告に基づいて、データ送信をセルラーネットワークから前記第１のＡＰにオフロードするためのコマンドを受信することと、ここにおいて、どのデータ送信が前記セルラーネットワークから前記第１のＡＰにオフロードされるかは、コアネットワーク（ＣＮ）からの第１のポリシーに基づく、
前記コマンドを受信した後、前記ＣＮからの第２のポリシーに基づいて、送信を前記第１のＡＰと関連付けるかまたは交換する前に前記サービング基地局にアクセスするためのトラフィックのタイプを判断することと
を行うように構成された少なくとも１つのプロセッサと、
前記少なくとも１つのプロセッサに結合されたメモリと
を備える、装置。
【請求項８２】
ワイヤレス通信のための無線アクセスネットワーク（ＲＡＮ）の装置であって、
ユーザ機器（ＵＥ）に、１つまたは複数のワイヤレスローカルエリアネットワーク（ＷＬＡＮ）アクセスポイント（ＡＰ）を測定するようにとの要求を送信することと、ここにおいて、測定するようにとの前記要求が、前記ＲＡＮのタイミングに対するＷＬＡＮビーコンの送信時間を前記ＵＥに示す測定値構成を備える、
前記１つまたは複数のＷＬＡＮ  ＡＰのうちの第１のＡＰについての報告を受信することと、
前記報告に基づいて、データ送信をセルラーネットワークから前記第１のＡＰにオフロードするためのコマンドを送信することと、ここにおいて、どのデータ送信が前記セルラーネットワークから前記第１のＡＰにオフロードされるかは、コアネットワーク（ＣＮ）からの第１のポリシーに基づく、
ここにおいて、前記ＣＮからの第２のポリシーは、前記ＵＥが、前記コマンドを受信した後、送信を前記第１のＡＰと関連付けるかまたは交換する前に前記基地局にアクセスするためのトラフィックのタイプを示す、
を行うように構成された少なくとも１つのプロセッサと、
前記少なくとも１つのプロセッサに結合されたメモリと
を備える、装置。
【請求項８３】
ユーザ機器（ＵＥ）によるワイヤレス通信のための非一時的なコンピュータ可読媒体であって、前記非一時的なコンピュータ可読媒体は、
無線アクセスネットワーク（ＲＡＮ）のサービング基地局から、１つまたは複数のワイヤレスローカルエリアネットワーク（ＷＬＡＮ）アクセスポイント（ＡＰ）を測定するようにとの要求を受信することと、ここにおいて、測定するようにとの前記要求が、前記ＲＡＮのタイミングに対するＷＬＡＮビーコンの送信時間を前記ＵＥに示す測定値構成を備える、
前記要求に基づいて前記１つまたは複数のＷＬＡＮ  ＡＰのうちの少なくとも１つについての１つまたは複数のメトリックを判断することと、
前記１つまたは複数のＷＬＡＮ  ＡＰのうちの前記少なくとも１つについての前記１つまたは複数のメトリックをしきい値と比較することと、
前記比較に基づいて前記１つまたは複数のＷＬＡＮ  ＡＰのうちの第１のＡＰを報告することと、
前記報告することに基づいて、データ送信をセルラーネットワークから前記第１のＡＰにオフロードするためのコマンドを受信することと、ここにおいて、どのデータ送信が前記セルラーネットワークから前記第１のＡＰにオフロードされるかは、コアネットワーク（ＣＮ）からの第１のポリシーに基づく、
前記コマンドを受信した後、前記ＣＮからの第２のポリシーに基づいて、送信を前記第１のＡＰと関連付けるかまたは交換する前に前記サービング基地局にアクセスするためのトラフィックのタイプを判断することと
を行うための命令を記憶する、非一時的なコンピュータ可読媒体。
【請求項８４】
無線アクセスネットワーク（ＲＡＮ）の基地局によるワイヤレス通信のための非一時的なコンピュータ可読媒体であって、前記非一時的なコンピュータ可読媒体は、
ユーザ機器（ＵＥ）に、１つまたは複数のワイヤレスローカルエリアネットワーク（ＷＬＡＮ）アクセスポイント（ＡＰ）を測定するようにとの要求を送信することと、ここにおいて、測定するようにとの前記要求が、前記ＲＡＮのタイミングに対するＷＬＡＮビーコンの送信時間を前記ＵＥに示す測定値構成を備える、
前記１つまたは複数のＷＬＡＮ  ＡＰのうちの第１のＡＰについての報告を受信すること、
前記報告に基づいて、データ送信をセルラーネットワークから前記第１のＡＰにオフロードするためのコマンドを送信することと、ここにおいて、どのデータ送信が前記セルラーネットワークから前記第１のＡＰにオフロードされるかは、コアネットワーク（ＣＮ）からの第１のポリシーに基づく、
ここにおいて、前記ＣＮからの第２のポリシーは、前記ＵＥが、前記コマンドを受信した後、送信を前記第１のＡＰと関連付けるかまたは交換する前に前記基地局にアクセスするためのトラフィックのタイプを示す、
を行うための命令を記憶する、非一時的なコンピュータ可読媒体。
【手続補正２】
【補正対象書類名】明細書
【補正対象項目名】０１１９
【補正方法】変更
【補正の内容】
【０１１９】
[0119]上記は本開示の態様を対象とするが、本開示の他の態様およびさらなる態様は、それらの基本的範囲から逸脱することなく考案され得、それらの範囲は以下の特許請求の範囲によって判断される。
以下に本願の出願当初の特許請求の範囲に記載された発明を付記する。
［Ｃ１］
ユーザ機器（ＵＥ）によるワイヤレス通信のための方法であって、
サービング基地局から、１つまたは複数のワイヤレスローカルエリアネットワーク（ＷＬＡＮ）アクセスポイント（ＡＰ）を測定するようにとの要求を受信することと、
前記要求に基づいて前記ＷＬＡＮ  ＡＰについての１つまたは複数のメトリックを判断することと、
前記ＷＬＡＮ  ＡＰについての前記メトリックをしきい値と比較することと、
前記ＷＬＡＮ  ＡＰのうちの少なくとも第１のＡＰを報告することと
を備える、方法。
［Ｃ２］
前記報告が、前記メトリックのうちの１つまたは複数と前記第１のＡＰの識別子とを備える、Ｃ１に記載の方法。
［Ｃ３］
測定するようにとの前記要求が、前記ＷＬＡＮ  ＡＰについての広告のタイミングの指示を備える、Ｃ１に記載の方法。
［Ｃ４］
前記報告することが、
前記ＵＥがすでに前記第１のＡＰに接続されていることを報告すること
をさらに備える、Ｃ１に記載の方法。
［Ｃ５］
前記第１のＡＰを報告したときに、
データ送信をセルラーネットワークから前記第１のＡＰにオフロードするための無線リソース制御（ＲＲＣ）コマンドを受信すること
をさらに備える、Ｃ１に記載の方法。
［Ｃ６］
前記ＲＲＣコマンドを受信したときに、前記第１のＡＰに関連付けることをさらに備える、Ｃ５に記載の方法。
［Ｃ７］
前記ＲＲＣコマンドが前記第１のＡＰの識別子を備える、Ｃ５に記載の方法。
［Ｃ８］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ５に記載の方法。
［Ｃ９］
オフロードするための前記ＩＰフローまたは前記ＡＰＮトラフィックが、シームレス接続性または非シームレス接続性のうちの１つまたは複数として指定される、Ｃ８に記載の方法。
［Ｃ１０］
前記シームレス接続性がインターネットプロトコルフローモビリティ（ＩＦＯＭ）または多重アクセスパケットデータネットワーク接続性（ＭＡＰＣＯＮ）を備える、Ｃ９に記載の方法。
［Ｃ１１］
データ送信を前記第１のＡＰにオフロードすることであって、どのデータ送信が前記セルラーネットワークから前記第１のＡＰにオフロードされるかを判断することが、コアネットワーク（ＣＮ）からのポリシーに基づく、オフロードすることをさらに備える、Ｃ５に記載の方法。
［Ｃ１２］
前記第１のＡＰを報告したときに、
前記第１のＡＰに関する追加情報を報告するようにとの構成要求を受信すること
をさらに備える、Ｃ１に記載の方法。
［Ｃ１３］
前記第１のＡＰに関する前記追加情報を報告することが、前記第１のＡＰとのアクセスネットワーククエリプロトコル（ＡＮＱＰ）を実行することを備える、Ｃ１２に記載の方法。
［Ｃ１４］
前記第１のＡＰについての前記メトリックがしきい値を下回る場合、前記ＷＬＡＮ  ＡＰのうちの前記第１のＡＰを報告すること
をさらに備える、Ｃ１に記載の方法。
［Ｃ１５］
前記第１のＡＰについて報告したときに、
前記第１のＡＰとの関連付けを解除するための無線リソース制御（ＲＲＣ）コマンドを受信することをさらに備える、Ｃ１４に記載の方法。
［Ｃ１６］
前記第１のＡＰとの関連付けを解除することが、データ送信を前記第１のＡＰからセルラーネットワークにオフロードすることを備える、Ｃ１５に記載の方法。
［Ｃ１７］
前記１つまたは複数のＷＬＡＮ  ＡＰについての前記１つまたは複数のメトリックを判断することが、前記ＷＬＡＮ  ＡＰからビーコンまたはプローブ応答中で情報要素（ＩＥ）を受信することを備える、Ｃ１に記載の方法。
［Ｃ１８］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ２に記載の方法。
［Ｃ１９］
前記１つまたは複数のＷＬＡＮ  ＡＰが特定のＷＬＡＮチャネルまたはＷＬＡＮ帯域に対応する、Ｃ１に記載の方法。
［Ｃ２０］
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ１に記載の方法。
［Ｃ２１］
前記第１のＡＰについての前記メトリックが前記しきい値を超える、Ｃ１に記載の方法。
［Ｃ２２］
前記サービング基地局がＷＬＡＮおよび無線アクセスネットワーク（ＲＡＮ）インターワーキングをサポートするかどうかを判断することと、
前記判断に基づいて、送信をＷＬＡＮ  ＡＰと関連付けるかまたは交換する前に前記サービング基地局にアクセスするかどうかを判断することと
をさらに備える、Ｃ１に記載の方法。
［Ｃ２３］
基地局によるワイヤレス通信のための方法であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を備える、方法。
［Ｃ２４］
前記報告が、前記メトリックのうちの１つまたは複数と前記第１のＡＰの識別子とを備える、Ｃ２３に記載の方法。
［Ｃ２５］
測定するようにとの前記要求が、前記ＷＬＡＮ  ＡＰについての広告のタイミングの指示を備える、Ｃ２３に記載の方法。
［Ｃ２６］
前記報告は、前記ＵＥがすでに前記第１のＡＰに接続されているとの指示を備える、Ｃ２３に記載の方法。
［Ｃ２７］
前記第１のＡＰについての前記報告を受信したときに、
データ送信をセルラーネットワークから前記第１のＡＰにオフロードするための無線リソース制御（ＲＲＣ）コマンドを送信すること
をさらに備える、Ｃ２３に記載の方法。
［Ｃ２８］
前記ＲＲＣコマンドが前記第１のＡＰの識別子を備える、Ｃ２７に記載の方法。
［Ｃ２９］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ２７に記載の方法。
［Ｃ３０］
オフロードするための前記ＩＰフローまたは前記ＡＰＮトラフィックが、シームレス接続性または非シームレス接続性のうちの１つまたは複数として指定される、Ｃ２９に記載の方法。
［Ｃ３１］
前記シームレス接続性がインターネットプロトコルフローモビリティ（ＩＦＯＭ）または多重アクセスパケットデータネットワーク接続性（ＭＡＰＣＯＮ）を備える、Ｃ３０に記載の方法。
［Ｃ３２］
前記セルラーネットワークから前記第１のＡＰにオフロードされる前記送信が、コアネットワーク（ＣＮ）からの静的ポリシーに基づく、Ｃ２７に記載の方法。
［Ｃ３３］
前記第１のＡＰについての前記報告を受信したときに、
データ送信をサービングＷＬＡＮ  ＡＰから前記第１のＡＰにオフロードするための無線リソース制御（ＲＲＣ）コマンドを送信すること
をさらに備える、Ｃ２３に記載の方法。
［Ｃ３４］
前記第１のＡＰについての前記報告を受信したときに、
前記第１のＡＰに関する追加情報が必要とされるかどうかを判断することと、
前記追加情報が必要とされると判断したときに、前記ＵＥに、前記第１のＡＰに関する追加情報を報告するようにとの構成要求を送信することと
をさらに備える、Ｃ２３に記載の方法。
［Ｃ３５］
前記第１のＡＰが前記基地局とコロケートされている場合、前記第１のＡＰに関する前記追加情報が必要とされない、Ｃ３４に記載の方法。
［Ｃ３６］
前記追加情報が、前記第１のＡＰと前記基地局との間のバックホールリンクを介して取得される、Ｃ３４に記載の方法。
［Ｃ３７］
前記第１のＡＰに関する前記追加情報がサーバから取得される、Ｃ３４に記載の方法。
［Ｃ３８］
前記第１のＡＰについての測定値がしきい値を下回る場合、前記ＷＬＡＮ  ＡＰのうちの前記第１のＡＰの報告を受信すること
をさらに備える、Ｃ２３に記載の方法。
［Ｃ３９］
前記第１のＡＰについての前記報告を受信したときに、
前記第１のＡＰとの関連付けを解除するための無線リソース制御（ＲＲＣ）コマンドを送信すること
をさらに備える、Ｃ３８に記載の方法。
［Ｃ４０］
前記第１のＡＰとの関連付けを解除することが、データ送信を前記第１のＡＰからセルラーネットワークにオフロードすることを備える、Ｃ３９に記載の方法。
［Ｃ４１］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ２４に記載の方法。
［Ｃ４２］
前記１つまたは複数のＷＬＡＮ  ＡＰが特定のＷＬＡＮチャネルまたはＷＬＡＮ帯域に対応する、Ｃ２３に記載の方法。
［Ｃ４３］
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ２３に記載の方法。
［Ｃ４４］
前記第１のＡＰについての測定値がしきい値を超える、Ｃ２３に記載の方法。
［Ｃ４５］
ユーザ機器（ＵＥ）によるワイヤレス通信のための装置であって、
サービング基地局から、１つまたは複数のワイヤレスローカルエリアネットワーク（ＷＬＡＮ）アクセスポイント（ＡＰ）を測定するようにとの要求を受信するための手段と、
前記要求に基づいて前記ＷＬＡＮ  ＡＰについての１つまたは複数のメトリックを判断するための手段と、
前記ＷＬＡＮ  ＡＰについての前記メトリックをしきい値と比較するための手段と、
前記ＷＬＡＮ  ＡＰのうちの少なくとも第１のＡＰを報告するための手段と
を備える、装置。
［Ｃ４６］
前記報告が、前記メトリックのうちの１つまたは複数と前記第１のＡＰの識別子とを備える、Ｃ４５に記載の装置。
［Ｃ４７］
測定するようにとの前記要求が、前記ＷＬＡＮ  ＡＰについての広告のタイミングの指示を備える、Ｃ４５に記載の装置。
［Ｃ４８］
報告するための前記手段が、
前記ＵＥがすでに前記第１のＡＰに接続されていることを報告するための手段
をさらに備える、Ｃ４５に記載の装置。
［Ｃ４９］
前記第１のＡＰを報告したときに、データ送信をセルラーネットワークから前記第１のＡＰにオフロードするための無線リソース制御（ＲＲＣ）コマンドを受信するための手段
をさらに備える、Ｃ４５に記載の装置。
［Ｃ５０］
前記ＲＲＣコマンドを受信したときに、前記第１のＡＰに関連付けるための手段をさらに備える、Ｃ４９に記載の装置。
［Ｃ５１］
前記ＲＲＣコマンドが前記第１のＡＰの識別子を備える、Ｃ４９に記載の装置。
［Ｃ５２］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ４９に記載の装置。
［Ｃ５３］
オフロードするための前記ＩＰフローまたは前記ＡＰＮトラフィックが、シームレス接続性または非シームレス接続性のうちの１つまたは複数として指定される、Ｃ５２に記載の装置。
［Ｃ５４］
前記シームレス接続性がインターネットプロトコルフローモビリティ（ＩＦＯＭ）または多重アクセスパケットデータネットワーク接続性（ＭＡＰＣＯＮ）を備える、Ｃ５３に記載の装置。
［Ｃ５５］
データ送信を前記第１のＡＰにオフロードするための手段であって、どのデータ送信が前記セルラーネットワークから前記第１のＡＰにオフロードされるかを判断することが、コアネットワーク（ＣＮ）からのポリシーに基づく、オフロードするための手段をさらに備える、Ｃ４９に記載の装置。
［Ｃ５６］
前記第１のＡＰを報告したときに、前記第１のＡＰに関する追加情報を報告するようにとの構成要求を受信するための手段
をさらに備える、Ｃ４５に記載の装置。
［Ｃ５７］
前記第１のＡＰに関する前記追加情報を報告するための前記手段が、前記第１のＡＰとのアクセスネットワーククエリプロトコル（ＡＮＱＰ）を実行するための手段を備える、Ｃ５６に記載の装置。
［Ｃ５８］
前記第１のＡＰについての前記メトリックがしきい値を下回る場合、前記ＷＬＡＮ  ＡＰのうちの前記第１のＡＰを報告するための手段
をさらに備える、Ｃ４５に記載の装置。
［Ｃ５９］
前記第１のＡＰについて報告したときに、前記第１のＡＰとの関連付けを解除するための無線リソース制御（ＲＲＣ）コマンドを受信するための手段
をさらに備える、Ｃ５８に記載の装置。
［Ｃ６０］
前記第１のＡＰとの関連付けを解除することが、データ送信を前記第１のＡＰからセルラーネットワークにオフロードすることを備える、Ｃ５９に記載の装置。
［Ｃ６１］
前記１つまたは複数のＷＬＡＮ  ＡＰについての前記１つまたは複数のメトリックを判断するための手段が、前記ＷＬＡＮ  ＡＰからビーコンまたはプローブ応答中で情報要素（ＩＥ）を受信するための手段を備える、Ｃ４５に記載の装置。
［Ｃ６２］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ４６に記載の装置。
［Ｃ６３］
前記１つまたは複数のＷＬＡＮ  ＡＰが特定のＷＬＡＮチャネルまたはＷＬＡＮ帯域に対応する、Ｃ４５に記載の装置。
［Ｃ６４］
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ４５に記載の装置。
［Ｃ６５］
前記第１のＡＰについての前記メトリックが前記しきい値を超える、Ｃ４５に記載の装置。
［Ｃ６６］
前記サービング基地局がＷＬＡＮおよび無線アクセスネットワーク（ＲＡＮ）インターワーキングをサポートするかどうかを判断するための手段と、
前記サービング基地局がＷＬＡＮおよび無線アクセスネットワーク（ＲＡＮ）インターワーキングをサポートするかどうかを判断した結果に基づいて、送信をＷＬＡＮ  ＡＰと関連付けるかまたは交換する前に前記サービング基地局にアクセスするかどうかを判断するための手段と
をさらに備える、Ｃ４５に記載の装置。
［Ｃ６７］
基地局によるワイヤレス通信のための装置であって、
ユーザ機器（ＵＥ）に、１つまたは複数のワイヤレスローカルエリアネットワーク（ＷＬＡＮ）アクセスポイント（ＡＰ）を測定するようにとの要求を送信するための手段と、
前記ＷＬＡＮ  ＡＰのうちの少なくとも第１のＡＰについての報告を受信するための手段と
を備える、装置。
［Ｃ６８］
前記報告が、前記メトリックのうちの１つまたは複数と前記第１のＡＰの識別子とを備える、Ｃ６７に記載の装置。
［Ｃ６９］
測定するようにとの前記要求が、前記ＷＬＡＮ  ＡＰについての広告のタイミングの指示を備える、Ｃ６７に記載の装置。
［Ｃ７０］
前記報告は、前記ＵＥがすでに前記第１のＡＰに接続されているとの指示を備える、Ｃ６７に記載の装置。
［Ｃ７１］
前記第１のＡＰについての前記報告を受信したときに、データ送信をセルラーネットワークから前記第１のＡＰにオフロードするための無線リソース制御（ＲＲＣ）コマンドを送信するための手段
をさらに備える、Ｃ６７に記載の装置。
［Ｃ７２］
前記ＲＲＣコマンドが前記第１のＡＰの識別子を備える、Ｃ７１に記載の装置。
［Ｃ７３］
前記ＲＲＣコマンドが、前記セルラーネットワークから前記第１のＡＰにオフロードするためのインターネットプロトコル（ＩＰ）フロー、ベアラ、またはアクセスポイント名（ＡＰＮ）トラフィックをさらに備える、Ｃ７１に記載の装置。
［Ｃ７４］
オフロードするための前記ＩＰフローまたは前記ＡＰＮトラフィックが、シームレス接続性または非シームレス接続性のうちの１つまたは複数として指定される、Ｃ７３に記載の装置。
［Ｃ７５］
前記シームレス接続性がインターネットプロトコルフローモビリティ（ＩＦＯＭ）または多重アクセスパケットデータネットワーク接続性（ＭＡＰＣＯＮ）を備える、Ｃ７４に記載の装置。
［Ｃ７６］
前記セルラーネットワークから前記第１のＡＰにオフロードされる前記送信が、コアネットワーク（ＣＮ）からの静的ポリシーに基づく、Ｃ７１に記載の装置。
［Ｃ７７］
前記第１のＡＰについての前記報告を受信したときに、データ送信をサービングＷＬＡＮ  ＡＰから前記第１のＡＰにオフロードするための無線リソース制御（ＲＲＣ）コマンドを送信するための手段
をさらに備える、Ｃ６７に記載の装置。
［Ｃ７８］
前記第１のＡＰについての前記報告を受信したときに、前記第１のＡＰに関する追加情報が必要とされるかどうかを判断するための手段と、
前記第１のＡＰに関する追加情報が必要とされると判断したときに、前記ＵＥに、前記追加情報を報告するようにとの構成要求を送信するための手段と
をさらに備える、Ｃ６７に記載の装置。
［Ｃ７９］
前記第１のＡＰが前記基地局とコロケートされている場合、前記第１のＡＰに関する前記追加情報が必要とされない、Ｃ７８に記載の装置。
［Ｃ８０］
前記追加情報が、前記第１のＡＰと前記基地局との間のバックホールリンクを介して取得される、Ｃ７８に記載の装置。
［Ｃ８１］
前記第１のＡＰに関する前記追加情報がサーバから取得される、Ｃ７８に記載の装置。
［Ｃ８２］
前記第１のＡＰについての測定値がしきい値を下回る場合、前記ＷＬＡＮ  ＡＰのうちの前記第１のＡＰの報告を受信するための手段
をさらに備える、Ｃ６７に記載の装置。
［Ｃ８３］
前記第１のＡＰについての前記報告を受信したときに、前記第１のＡＰとの関連付けを解除するための無線リソース制御（ＲＲＣ）コマンドを送信するための手段
をさらに備える、Ｃ８２に記載の装置。
［Ｃ８４］
前記第１のＡＰとの関連付けを解除することが、データ送信を前記第１のＡＰからセルラーネットワークにオフロードすることを備える、Ｃ８３に記載の装置。
［Ｃ８５］
前記１つまたは複数のメトリックが、受信信号強度インジケータ（ＲＳＳＩ）、受信チャネル電力インジケータ（ＲＣＰＩ）、受信信号対雑音インジケータ（ＲＳＮＩ）、基本サービスセット（ＢＳＳ）負荷、チャネル負荷、またはワイドエリアネットワーク（ＷＡＮ）メトリックを備える、Ｃ６８に記載の装置。
［Ｃ８６］
前記１つまたは複数のＷＬＡＮ  ＡＰが特定のＷＬＡＮチャネルまたはＷＬＡＮ帯域に対応する、Ｃ６７に記載の装置。
［Ｃ８７］
前記１つまたは複数のＷＬＡＮ  ＡＰが、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ６７に記載の装置。
［Ｃ８８］
前記第１のＡＰについての測定値がしきい値を超える、Ｃ６７に記載の装置。
［Ｃ８９］
ワイヤレス通信のための装置であって、
サービング基地局から、１つまたは複数のワイヤレスローカルエリアネットワーク（ＷＬＡＮ）アクセスポイント（ＡＰ）を測定するようにとの要求を受信することと、前記要求に基づいて、前記ＷＬＡＮ  ＡＰについての１つまたは複数のメトリックを判断することと、前記ＷＬＡＮ  ＡＰについての前記メトリックをしきい値と比較することと、前記ＷＬＡＮ  ＡＰのうちの少なくとも第１のＡＰを報告することと
を行うように構成された少なくとも１つのプロセッサと、
前記少なくとも１つのプロセッサに結合されたメモリと
を備える、装置。
［Ｃ９０］
ワイヤレス通信のための装置であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を行うように構成された少なくとも１つのプロセッサと、
前記少なくとも１つのプロセッサに結合されたメモリと
を備える、装置。
［Ｃ９１］
ユーザ機器（ＵＥ）によるワイヤレス通信のためのコンピュータプログラム製品であって、
サービング基地局から、１つまたは複数のワイヤレスローカルエリアネットワーク（ＷＬＡＮ）アクセスポイント（ＡＰ）を測定するようにとの要求を受信することと、
前記要求に基づいて前記ＷＬＡＮ  ＡＰについての１つまたは複数のメトリックを判断することと、
前記ＷＬＡＮ  ＡＰについての前記メトリックをしきい値と比較することと、
前記ＷＬＡＮ  ＡＰのうちの少なくとも第１のＡＰを報告することと
を行うための命令を記憶したコンピュータ可読媒体を備える、コンピュータプログラム製品。
［Ｃ９２］
基地局によるワイヤレス通信のためのコンピュータプログラム製品であって、
ユーザ機器（ＵＥ）に、１つまたは複数のワイヤレスローカルエリアネットワーク（ＷＬＡＮ）アクセスポイント（ＡＰ）を測定するようにとの要求を送信することと、
前記ＷＬＡＮ  ＡＰのうちの少なくとも第１のＡＰについての報告を受信することと
を行うための命令を記憶したコンピュータ可読媒体を備える、コンピュータプログラム製品。
【外国語明細書】
2018067943000001.pdf